(57)【特許請求の範囲】
【請求項１】
ＩＭＳＩマッピング・ノード（ＩＭＮ）が通信ネットワーク内でモバイル接続性を提供する方法であって、
副サービス・プロバイダにラッチされたユーザに関連する位置更新メッセージを受信するステップであって、前記ユーザは、前記ユーザのデフォルト・サービス・プロバイダによって提供される主Ｉｎｔｅｒｎａｔｉｏｎａｌ  Ｍｏｂｉｌｅ  Ｓｕｂｓｃｒｉｂｅｒ  Ｉｄｅｎｔｉｔｙ（ＩＭＳＩ）番号を用いるｓｕｂｓｃｒｉｂｅｒ  ｉｄｅｎｔｉｔｙ  ｍｏｄｕｌｅ（ＳＩＭ）を有し、前記位置更新メッセージは、前記ユーザの前記主ＩＭＳＩ番号に基づき、副サービス・プロバイダのＶｉｓｉｔｉｎｇ  Ｌｏｃａｔｉｏｎ  Ｒｅｇｉｓｔｅｒ（ＶＬＲ）のアドレス詳細を含む、受信するステップと、
前記受信された位置更新メッセージおよび前記副サービス・プロバイダに関連する副ＩＭＳＩ番号に基づいて、ダミー位置更新メッセージを生成するステップであって、前記副ＩＭＳＩ番号は、前記ユーザの前記主ＩＭＳＩ番号に対応し、前記ダミー位置更新メッセージは、ＩＭＳＩマッピング・ノード（ＩＭＮ）のアドレス詳細に置換された前記副サービス・プロバイダのＶｉｓｉｔｉｎｇ  Ｌｏｃａｔｉｏｎ  Ｒｅｇｉｓｔｅｒ（ＶＬＲ）のアドレス詳細を含む、生成するステップと、
前記主ＩＭＳＩ番号に基づいて前記副サービス・プロバイダによってユーザ通信サービスを提供するために前記副ＩＭＳＩ番号に関連する前記副サービス・プロバイダにダミー位置更新メッセージを送信するステップと
を含む方法。
【請求項２】
前記ユーザが、デフォルト・サービス・プロバイダ、および前記副サービス・プロバイダに関連するｓｅｒｖｉｃｅ  ｌｅｖｅｌ  ａｇｒｅｅｍｅｎｔ（ＳＬＡ）パラメータに基づいて副ＩＭＳＩ番号および関連する副Ｍｏｂｉｌｅ  Ｓｔａｔｉｏｎ  Ｉｎｔｅｒｎａｔｉｏｎａｌ  Ｓｕｂｓｃｒｉｂｅｒ  Ｄｉｒｅｃｔｏｒｙ  Ｎｕｍｂｅｒ（ＭＳＩＳＤＮ）を割り振られる、請求項１に記載の方法。
【請求項３】
送信する前記ステップは、
ダミー位置更新メッセージを副サービス・プロバイダの副ｈｏｍｅ  ｌｏｃａｔｉｏｎ  ｒｅｇｉｓｔｅｒ（Ｓ−ＨＬＲ）（１０８−２）に供給するステップと、
受信された位置更新メッセージを前記デフォルト・サービス・プロバイダのＤ−ＨＬＲ（１０８−１）に転送するステップと
を含む、請求項１乃至２のいずれか１項に記載の方法。
【請求項４】
前記ダミー位置更新メッセージに基づいてＳ−ＨＬＲ（１０８−２）から応答メッセージを受信するステップであって、前記応答メッセージは、前記副ＩＭＳＩ番号に基づく、ステップと、
前記ＶＬＲに前記応答メッセージを送信するステップであって、前記応答メッセージは、前記副ＩＭＳＩ番号および前記副ＭＳＩＳＤＮに基づいて前記ユーザに関連する副プロファイルの詳細を提供し、前記副プロファイルは、前記ユーザの前記副ＭＳＩＳＤＮを前記ＶＲＬ内の前記主ＩＭＳＩ番号に関連付ける、ステップと
をさらに含む、請求項３に記載の方法。
【請求項５】
前記方法は、
送信した位置更新メッセージに基づいて前記ユーザの前記デフォルト・サービス・プロバイダからｉｎｓｅｒｔ  ｓｕｂｓｃｒｉｂｅｒ  ｄａｔａ（ＩＳＤ）メッセージを受信するステップであって、前記ＩＳＤメッセージは、前記主ＭＳＩＳＤＮおよび前記主ＩＭＳＩ番号に関連する前記ユーザの主プロファイルの詳細を含む、ステップと、
前記ＩＳＤメッセージの受信時に、前記デフォルト・サービス・プロバイダに応答を送信するステップと
をさらに含む、請求項１乃至４のいずれか１項に記載の方法。
【請求項６】
ＩＭＳＩマッピング・ノード（ＩＭＮ）（１１２）であって、
プロセッサ（２０２−１）と、
プロセッサ（２０２−１）に結合されたメモリ（２０４−１）であって、
副サービス・プロバイダにラッチされたユーザに関連する位置更新メッセージを受信するように構成された要求処理モジュール（２０６−１）であって、前記ユーザは、前記ユーザのデフォルト・サービス・プロバイダによって提供される主ＩＭＳＩ番号を有するＳＩＭを有し、前記位置更新メッセージは、前記ユーザの前記主ＩＭＳＩ番号に基づき、前記副サービス・プロバイダのＶｉｓｉｔｉｎｇ  Ｌｏｃａｔｉｏｎ  Ｒｅｇｉｓｔｅｒ（ＶＬＲ）のアドレス詳細を含む、要求処理モジュール（２０６−１）と、
前記位置更新メッセージおよび前記副サービス・プロバイダに関連する副ＩＭＳＩ番号に基づいてダミー位置更新メッセージを生成し、前記副ＩＭＳＩ番号は、前記ユーザの主ＩＭＳＩ番号に対応し、
前記ユーザが前記主ＩＭＳＩに基づいて前記副サービス・プロバイダによって通信サービスを提供されるように前記副ＩＭＳＩ番号に関連する副サービス・プロバイダのＳ−ＨＬＲ（１０８−２）に前記ダミー位置更新メッセージを送信する
ように構成された構成モジュール（２０８）と
を含む、メモリ（２０４ー１）と
を含むＩＭＮ（１１２）。
【請求項７】
前記構成モジュール（２０８）は、さらに、前記デフォルト・サービス・プロバイダのＤ−ＨＬＲ（１０８−１）に前記位置更新メッセージを送信するように構成される、
請求項６に記載のＩＭＮ（１１２）。
【請求項８】
要求処理モジュール（２０６−１）は、
ダミー位置更新メッセージに基づいてＳ−ＨＬＲ（１０８−２）から応答メッセージを受信するステップであって、前記応答メッセージは、前記副ＩＭＳＩ番号に基づく、受信するステップと、
前記ユーザがラッチされている前記副サービス・プロバイダのＶＬＲに前記応答メッセージを送信するステップであって、前記応答メッセージは、前記副ＩＭＳＩ番号および前記副ＭＳＩＳＤＮに基づいて前記ユーザに関連する副プロファイルの詳細を提供し、前記副プロファイルは、前記ユーザの前記副ＭＳＩＳＤＮを前記ＶＬＲ内の前記主ＩＭＳＩ番号に関連付ける、送信するステップと
を行うようにさらに構成される、請求項６または７に記載のＩＭＮ（１１２）。
【請求項９】
前記構成モジュール（２０８）は、前記副ＩＭＳＩ番号および前記副ＭＳＩＳＤＮを、前記ユーザに関連する主ＭＳＩＳＤＮおよび主ＩＭＳＩ番号にマッピングするように構成される、請求項８記載のＩＭＮ（１１２）。
【請求項１０】
副サービス・プロバイダにラッチされたユーザに関連する位置更新メッセージを受信するステップであって、前記ユーザは、前記ユーザのデフォルト・サービス・プロバイダによって提供される主ＩＭＳＩ番号を用いるＳＩＭを有し、前記位置更新メッセージは、前記ユーザの前記主ＩＭＳＩ番号に基づき、副サービス・プロバイダのＶｉｓｉｔｉｎｇ  Ｌｏｃａｔｉｏｎ  Ｒｅｇｉｓｔｅｒ（ＶＬＲ）のアドレス詳細を含む、受信するステップと、
前記受信された位置更新メッセージおよび前記副サービス・プロバイダに関連する副ＩＭＳＩ番号に基づいて、ダミー位置更新メッセージを生成するステップであって、前記副ＩＭＳＩ番号は、前記ユーザの前記主ＩＭＳＩ番号に対応する、生成するステップと、
前記ユーザが前記主ＩＭＳＩに基づいて前記副サービス・プロバイダによって通信サービスを提供されるように、前記副ＩＭＳＩ番号に関連する前記副サービス・プロバイダに前記ダミー位置更新メッセージを送信するステップと
を含む方法をコンピュータに実行させるためのプログラムを記録するコンピュータ可読媒体。
【発明の詳細な説明】
【技術分野】
【０００１】
本主題は、通信ネットワークに関し、排他的ではなく具体的には、通信ネットワーク内のモバイル接続性に関する。
【背景技術】
【０００２】
セルラ電話機、スマート・フォン、携帯情報端末（ＰＤＡ）、ポータブル・コンピュータ、およびデスクトップ・コンピュータなどの通信デバイスは、さまざまなモバイル通信サービスおよびコンピュータ・ネットワーキング能力をユーザに与える。これらの通信サービスは、サービス・プロバイダとユーザとの間でデータを交換することを可能にする。モバイル無線ネットワーク・オペレータは、現在、モバイル通信用のＧＳＭ標準規格を使用する、流行しているモバイル無線システム上だけではなく、新しいおよび進化したＵｎｉｖｅｒｓａｌ  Ｍｏｂｉｌｅ  Ｔｅｌｅｃｏｍｍｕｎｉｃａｔｉｏｎｓ  Ｓｅｒｖｉｃｅ（ＵＭＴＳ）標準規格を使用するネットワーク上でも活動する。そのような標準規格およびデータ交換をサポートするインフラストラクチャに基づいて、サービス・プロバイダは、ユーザに接続性を提供する。さらに、ユーザは、さまざまなパラメータに基づいて、サービス・プロバイダまたはオペレータによって提供される通信サービスについて課金される。そのようなパラメータの例は、呼を開始するユーザすなわち発呼当事者の位置、呼が向けられるユーザすなわち被呼当事者の位置、発呼当事者に関連する接続のタイプすなわち前払い接続または後払い接続、およびユーザによって要求されたサービスのタイプとすることができる。
【０００３】
通常、ユーザは、事前に定義された地理的カバレージ・エリアまたは円（ユーザのホーム・ネットワークとも称する）内でサービス・プロバイダによって提供される通信サービスに加入する。通信サービスに関するユーザの加入は、ユーザのデフォルト・サービス・プロバイダである固定されたサービス・オペレータに関する。一般に、ユーザは、通信サービスのためにデフォルト・サービス・プロバイダに接続する。しかし、ユーザがホーム・ネットワークの外部にいる時すなわちユーザが「ローミング」している時など、ある種の状況では、ユーザは、デフォルト・サービス・プロバイダ以外のサービス・プロバイダに接続する可能性がある。さらに、ある種の状況では、ローミングが、国際ローミングである場合もあり、この場合に、ユーザは、国境を通って旅行し、デフォルト・サービス・プロバイダ以外のサービス・プロバイダを介して通信サービスを利用する可能性がある。一般に、通信サービスが、デフォルト・サービス・プロバイダを介して要求される場合に、ユーザは、通常の料金算定方式に従って課金される。しかし、ユーザが、ローミングしており、デフォルト・サービス・プロバイダ以外のサービス・プロバイダに接続されている時には、サービスを提供するレートの増分が、通常の料金算定方式に加えて課金される。
【０００４】
さらに、無線接続性を提供するために、デフォルト・サービス・プロバイダは、Ｓｕｂｓｃｒｉｂｅｒ  Ｉｄｅｎｔｉｔｙ  Ｍｏｄｕｌｅ（ＳＩＭ）をユーザに発行する。ユーザは、モバイル機器（Ｍｏｂｉｌｅ  Ｅｑｕｉｐｍｅｎｔ、ＭＥ）と一緒にＳＩＭを利用して、サービス・プロバイダを介して通信ネットワークに接続する。ＳＩＭは、デフォルト・サービス・プロバイダによってユーザに割り振られる、一意のＩｎｔｅｒｎａｔｉｏｎａｌ  Ｍｏｂｉｌｅ  Ｓｕｂｓｃｒｉｂｅｒ  Ｉｄｅｎｔｉｔｙ（ＩＭＳＩ）番号および一意のＭｏｂｉｌｅ  Ｓｔａｔｉｏｎ  Ｉｎｔｅｒｎａｔｉｏｎａｌ  Ｓｕｂｓｃｒｉｂｅｒ  Ｄｉｒｅｃｔｏｒｙ  Ｎｕｍｂｅｒ（ＭＳＩＳＤＮ）に基づいて、ユーザがサービス・プロバイダと接続することを認可する。したがって、ＭＳＩＳＤＮおよびＩＭＳＩ番号に基づいて、サービス・プロバイダは、ネイティブ・ユーザすなわち、そのサービス・プロバイダがデフォルト・サービス・プロバイダであるユーザである、またはローミングしているある別のサービス・プロバイダに属するユーザすなわち非ネイティブ・ユーザであるものとしてユーザを識別する。
【発明の概要】
【課題を解決するための手段】
【０００５】
この「課題を解決するための手段」は、通信ネットワークでのモバイル接続性に関する概念を導入するために提供されるものである。この「課題を解決するための手段」は、請求される主題の本質的特徴を識別することを意図されたものではなく、請求される主題の範囲を判定しまたは限定する際の使用を意図されたものでもない。
【０００６】
一実施態様では、通信ネットワーク内でモバイル接続性を提供する方法が説明される。この方法は、副サービス・プロバイダにラッチされたユーザに関連する位置更新メッセージを受信するステップであって、ユーザは、ユーザのデフォルト・サービス・プロバイダによって提供される主Ｉｎｔｅｒｎａｔｉｏｎａｌ  Ｍｏｂｉｌｅ  Ｓｕｂｓｃｒｉｂｅｒ  Ｉｄｅｎｔｉｔｙ（ＩＭＳＩ）番号を用いるｓｕｂｓｃｒｉｂｅｒ  ｉｄｅｎｔｉｔｙ  ｍｏｄｕｌｅ（ＳＩＭ）を有し、位置更新メッセージは、ユーザの主ＩＭＳＩ番号に基づく、受信するステップを含むことができる。この方法は、受信された位置更新メッセージおよび副サービス・プロバイダに関連する副ＩＭＳＩ番号に基づいて、ダミー位置更新メッセージを生成するステップであって、副ＩＭＳＩ番号は、ユーザの主ＩＭＳＩ番号に対応する、生成するステップをさらに含むことができる。さらに、この方法は、ユーザが主ＩＭＳＩ番号に基づいて副サービス・プロバイダによって通信サービスを提供されるように、副ＩＭＳＩ番号に関連する副サービス・プロバイダにダミー位置更新メッセージを送信するステップを含むことができる。
【０００７】
もう１つの態様では、ユーザから国際ローミング（ＩＲ）の要求を受信するステップであって、要求は、少なくともローミング国および副サービス・プロバイダを含む、ステップを含む方法が説明される。この方法は、副サービス・プロバイダとデフォルト・サービス・プロバイダとの間で共有されるＭｏｂｉｌｅ  Ｓｔａｔｉｏｎ  Ｉｎｔｅｒｎａｔｉｏｎａｌ  Ｓｕｂｓｃｒｉｂｅｒ  Ｄｉｒｅｃｔｏｒｙ  Ｎｕｍｂｅｒ（ＭＳＩＳＤＮ）およびＩｎｔｅｒｎａｔｉｏｎａｌ  Ｍｏｂｉｌｅ  Ｓｕｂｓｃｒｉｂｅｒ  Ｉｄｅｎｔｉｔｙ（ＩＭＳＩ）番号のプールから副サービス・プロバイダによってユーザに副ＭＳＩＳＤＮおよび副ＩＭＳＩ番号を割り振るステップをも含み、割振りは、ユーザがＩＲ時に副ＭＳＩＳＤＮを利用することを可能にする。
【０００８】
さらにもう１つの実施態様では、方法は、ユーザに関連する位置更新メッセージを受信するステップであって、位置更新メッセージは、主Ｉｎｔｅｒｎａｔｉｏｎａｌ  Ｍｏｂｉｌｅ  Ｓｕｂｓｃｒｉｂｅｒ  Ｉｄｅｎｔｉｔｙ（ＩＭＳＩ）番号に基づく、受信するステップを含むことができる。この方法は、ユーザに対応するＳｕｂｓｃｒｉｂｅｒ  Ｉｄｅｎｔｉｔｙ  Ｍｏｄｕｌｅ（ＳＩＭ）の主ＩＭＳＩ番号に基づいて、国際ローミング（ＩＲ）するユーザを識別するステップを含むこともでき、ＳＩＭは、ユーザのデフォルト・サービス・プロバイダによって提供される。さらに、この方法は、ユーザ位置詳細をＩＭＳＩマッピング・ノード（ＩＭＮ）に提供するために、識別に基づいてＩＭＮに位置更新メッセージを送信するステップを含む。
【０００９】
もう１つの実施態様では、ＩＭＳＩマッピング・ノード（ＩＭＮ）が説明される。ＩＭＮは、プロセッサとメモリとを含むことができ、メモリは、プロセッサに結合される。メモリは、副サービス・プロバイダにラッチされたユーザに関連する位置更新メッセージを受信するように構成された要求処理モジュールであって、ユーザは、ユーザのデフォルト・サービス・プロバイダによって提供される主ＩＭＳＩ番号を有するＳＩＭを有し、位置更新メッセージは、ユーザの主ＩＭＳＩ番号に基づく、要求処理モジュールを含むことができる。さらに、メモリは、位置更新メッセージおよび副サービス・プロバイダに関連する副ＩＭＳＩ番号に基づいてダミー位置更新メッセージを生成し、副ＩＭＳＩ番号は、ユーザの主ＩＭＳＩ番号に対応し、ユーザが主ＩＭＳＩに基づいて副サービス・プロバイダによって通信サービスを提供されるように副ＩＭＳＩ番号に関連する副サービス・プロバイダのＳ−ＨＬＲにダミー位置更新メッセージを送信するように構成された構成モジュールをも含むことができる。構成モジュールは、さらに、ダミー位置更新メッセージを生成するためにデフォルト・サービス・プロバイダと副サービス・プロバイダとの間の合意を認証するように構成され得る。
【００１０】
一実施態様では、モバイル接続性を提供するネットワーク・エンティティが説明される。ネットワーク・エンティティは、プロセッサと、プロセッサに結合されたメモリとを含むことができる。メモリは、ユーザから国際ローミング（ＩＲ）の要求を受信するように構成された要求処理モジュールを含むことができ、要求は、少なくともローミング国および副サービス・プロバイダを含む。メモリは、さらに、副サービス・プロバイダとデフォルト・サービス・プロバイダとの間で共有されるＭＳＩＳＤＮおよびＩＭＳＩ番号のプールから副サービス・プロバイダによってユーザに副ＭＳＩＳＤＮおよび副ＩＭＳＩ番号を割り振るように構成された割振りモジュールを含むことができ、割振りは、ユーザがＩＲ時に副ＭＳＩＳＤＮを利用することを可能にする。
【００１１】
もう１つの実施態様では、方法を実行するコンピュータ可読プログラム・コードをその上で実施されたコンピュータ可読媒体が説明される。この方法は、副サービス・プロバイダにラッチされたユーザに関連する位置更新メッセージを受信するステップであって、ユーザは、ユーザのデフォルト・サービス・プロバイダによって提供される主ＩＭＳＩ番号を用いるＳＩＭを有し、位置更新メッセージは、ユーザの主ＩＭＳＩ番号に基づく、受信するステップを含むことができる。この方法は、受信された位置更新メッセージおよび副サービス・プロバイダに関連する副ＩＭＳＩ番号に基づいて、ダミー位置更新メッセージを生成するステップであって、副ＩＭＳＩ番号は、ユーザの主ＩＭＳＩ番号に対応する、生成するステップをさらに含むことができる。さらに、この方法は、ユーザが主ＩＭＳＩに基づいて副サービス・プロバイダによって通信サービスを提供されるように、副ＩＭＳＩ番号に関連する副サービス・プロバイダにダミー位置更新メッセージを送信するステップを含むことができる。
【００１２】
一実施態様では、方法を実行するコンピュータ可読プログラム・コードをその上で実施されたもう１つのコンピュータ可読媒体が説明される。この方法は、ユーザから国際ローミング（ＩＲ）の要求を受信するステップであって、要求は、少なくともローミング国および副サービス・プロバイダを含む、ステップを含むことができる。この方法は、さらに、副サービス・プロバイダとデフォルト・サービス・プロバイダとの間で共有されるＭＳＩＳＤＮおよびＩＭＳＩ番号のプールから副サービス・プロバイダによってユーザに副ＭＳＩＳＤＮおよび副ＩＭＳＩ番号を割り振るステップを含むことができ、割振りは、ユーザがＩＲ時に副ＭＳＩＳＤＮを利用することを可能にする。
【００１３】
詳細な説明は、添付図面を参照して説明される。図面では、符号の左端の数字（１つまたは複数）が、その符号が初めて現れる図面を識別する。同一の符号が、同様の特徴および構成要素を参照するのに、図面全体を通じて使用される。本主題の実施形態によるシステムおよび／または方法のいくつかの実施形態を、これから、例としてのみ、添付図面を参照して説明する。
【図面の簡単な説明】
【００１４】
【図１】本主題の実施形態による、例示的な通信ネットワーク環境を示す図である。
【図２】本主題の実施形態による、通信ネットワーク内でモバイル接続性を提供するネットワーク・エンティティを概略的に示す図である。
【図３（ａ）】本主題の実施形態による、通信ネットワーク内でモバイル接続性を提供する手順を示すコール・フロー図である。
【図３（ｂ）】本主題の実施形態による、通信ネットワーク内でモバイル接続性を提供する手順を示すコール・フロー図である。
【図３（ｃ）】本主題の実施形態による、通信ネットワーク内でモバイル接続性を提供する手順を示すコール・フロー図である。
【図４（ａ）】本主題の実施形態による、モバイル接続性を提供する方法を示す図である。
【図４（ｂ）】本主題の実施形態による、モバイル接続性を提供する方法を示す図である。
【図４（ｃ）】本主題の実施形態による、モバイル接続性を提供する方法を示す図である。
【発明を実施するための形態】
【００１５】
本明細書のすべてのブロック図が、本主題の原理を実施する例示的なシステムの概念図を表すことが、当業者によって了解されるに違いない。同様に、すべてのフロー・チャート、流れ図、状態遷移図、擬似コード、および類似物は、コンピュータ可読媒体内で実質的に表すことができ、したがって、コンピュータまたはプロセッサが明示的に図示されるか否かに関わりなく、そのようなコンピュータまたはプロセッサによって実行され得るさまざまなプロセスを表すことを了解されたい。
【００１６】
本主題の実施態様によれば、動的に、ローミングしている間にユーザにモバイル接続性を提供するシステムおよび方法が説明される。一実施態様では、そのデフォルト・サービス・プロバイダに関連する加入したユーザに、デフォルト・サービス・プロバイダによって既に提供されたＳｕｂｓｃｒｉｂｅｒ  Ｉｄｅｎｔｉｔｙ  Ｍｏｄｕｌｅ（ＳＩＭ）に関して１つまたは複数の追加のＭｏｂｉｌｅ  Ｓｔａｔｉｏｎ  Ｉｎｔｅｒｎａｔｉｏｎａｌ  Ｓｕｂｓｃｒｉｂｅｒ  Ｄｉｒｅｃｔｏｒｙ  Ｎｕｍｂｅｒ（ＭＳＩＳＤＮ）を提供することができる。ＳＩＭは、ユーザによって、通信サービスを役立てるための通信ネットワークとの接続に利用され得る。この方法を、２Ｇおよび３Ｇなどの異なるＧｌｏｂａｌ  Ｓｙｓｔｅｍ  ｆｏｒ  Ｍｏｂｉｌｅ（ＧＳＭ）通信標準規格を利用するＧＳＭ技法に従ってデータを交換できるシステム内で実施することができる。さらに、この方法を、ＩＳ  ９５すなわちｃｄｍａＯｎｅおよびＣＤＭＡ  ２０００などの異なる符号分割多元接続（ＣＤＭＡ）通信標準規格を利用するＣＤＭＡ技法に従ってデータを交換できるシステム内で実施することもできる。
【００１７】
本明細書で説明する技法を、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ（ＳＣ−ＦＤＭＡ）システム、および他のシステムなどのさまざまな無線通信システムに使用することができる。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００、その他などの無線技術を実施することができる。ＵＴＲＡは、ＣＤＭＡの変形形態を含む。ｃｄｍａ２０００は、ＩＳ−２０００標準規格、ＩＳ−９５標準規格、およびＩＳ−８５６標準規格を含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などの無線技術を実施することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ  ８０２．２０、ＩＥＥＥ  ８０２．１６（ＷｉＭＡＸ）、８０２．１１（ＷｉＦｉ（商標））、Ｆｌａｓｈ−ＯＦＤＭ（登録商標）、その他などの無線技術を実施することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、Ｅ−ＵＴＲＡを使用する、ＵＭＴＳのやがて来るリリースである。ＵＴＲＡ、Ｅ−ＵＴＲＡ、ＵＭＴＳ、ＬＴＥ、およびＧＳＭは、組織「３ｒｄ  Ｇｅｎｅｒａｔｉｏｎ  Ｐａｒｔｎｅｒｓｈｉｐ  Ｐｒｏｊｅｃｔ」（３ＧＰＰ）からの文書に記載されている。ｃｄｍａ２０００およびＵＭＢは、組織「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）からの文書に記載されている。明瞭さのために、技法のある種の態様を、下でＷＣＤＭＡ（登録商標）について説明し、３ＧＰＰ用語法を、下の説明の多くで使用する。
【００１８】
このシステムおよび方法を、通信デバイスおよびコンピューティング・システムなどのさまざまなエンティティ内で実施することができる。説明される方法（１つまたは複数）を実施できるエンティティは、デスクトップ・コンピュータ、ハンドヘルド・デバイス、ラップトップまたは他のポータブル・コンピュータ、タブレット・コンピュータ、携帯電話機、ＰＤＡ、スマート・フォン、および類似物を含むが、これに限定されない。さらに、この方法を、異なる通信するデバイスおよびコンピューティング・システムへの接続性を提供するためにデータを交換できるデバイスによって実施することもできる。そのようなデバイスは、無線ネットワーク制御装置（ＲＮＣ）、Ｂａｓｅ  Ｔｒａｎｓｃｅｉｖｅｒ  Ｓｔａｔｉｏｎ（ＢＴＳ）、Ｍｏｂｉｌｅ  Ｓｗｉｔｃｈｉｎｇ  Ｃｅｎｔｒｅ（ＭＳＣ）、Ｓｈｏｒｔ  Ｍｅｓｓａｇｅ  Ｓｅｒｖｉｃｅ  Ｃｅｎｔｒｅ（ＳＭＳＣ）、Ｂａｓｅ  Ｓｔａｔｉｏｎ  Ｓｕｂｓｙｓｔｅｍ（ＢＳＳ）、Ｈｏｍｅ  Ｌｏｃａｔｉｏｎ  Ｒｅｇｉｓｔｅｒ（ＨＬＲ）、Ｖｉｓｉｔｏｒ  Ｌｏｃａｔｉｏｎ  Ｒｅｇｉｓｔｅｒ（ＶＬＲ）、Ａｕｔｈｅｎｔｉｃａｔｉｏｎ  Ｃｅｎｔｅｒ（ＡｕＣ）、データ・カード、モバイル・アダプタ、無線（ＷｉＦｉ（商標））アダプタ、ルータ、および類似物を含むことができるが、これに限定されない。
【００１９】
ネットワーク・サービスの高まる可用性ならびにセル電話機、携帯情報端末（ＰＤＡ）、およびスマート・フォンなどの遠隔通信デバイスの使用は、労働力モビリティを高めてきた。ますます多数のユーザが、ある地理的位置から別の地理的位置へ旅行する。そのような旅行は、一般に、国の国境内である可能性があるが、ある種のユーザは、国境を越え、国にまたがって旅行する場合もある。ユーザが、彼らのホーム・ネットワークの外部の他国内でローミングしている場合であっても、ユーザは、デフォルト・サービス・プロバイダまたは任意の他のサービス・プロバイダのいずれかから通信サービスを受信して、全世界で仕事仲間と接続されることを期待する。
【００２０】
競争環境では、遠隔通信技術の進歩に起因し、ユーザの常に高まる需要を満足するために、サービス・プロバイダは、国内ローミングおよび国際ローミングの機能を彼らのユーザに提供する。国際ローミング（ＩＲ）は、その加入者がある国または地域内で登録されるサービス・プロバイダすなわちデフォルト・サービス・プロバイダのサービスが、別の国または地域で加入者から使用可能にされる状況を指す。同様に、国内ローミング（ＮＲ）は、ある地域またはホーム・ネットワーク内のデフォルト・サービス・プロバイダのサービスが、その国内の別の地域で加入者から使用可能にされる状況を指す。しかし、そのようなＮＲサービスおよびＩＲサービスを役立てるために、ユーザは、一般に、デフォルト・サービス・プロバイダにローミング料金を支払わなければならない。
【００２１】
一般に、デフォルト・サービス・プロバイダによってユーザに提供されたＭＳＩＳＤＮおよびＩＭＳＩ番号に基づいて、任意のサービス・プロバイダは、ネイティブ・ユーザまたは非ネイティブ・ユーザのいずれかであるものとしてユーザを識別し、それに対応して、ユーザによって利用される通信サービスの料金が徴収される。ユーザが、ネイティブ・ユーザとして識別される場合には、通常料金を徴収することができるが、ユーザが非ネイティブ・ユーザとして識別される場合には、ローミング料金を徴収することができる。そのようなローミング料金は、ユーザが国際的にローミングしている時に、大幅により高いものとすることができる。通常、国際ローミングでのこの高い料金は、ローミング国内でユーザに任意の通信サービスを提供するために、ローミング国のサービス・プロバイダが、ユーザのデフォルト・サービス・プロバイダに接続しなければならないという事実に起因して、ユーザから徴収される。これは、通信サービスを提供するのに利用されるルートの増加をもたらす可能性があり、また、両方すなわちローミング国のサービス・プロバイダおよびデフォルト・サービス・プロバイダのさらなるリソースを利用する可能性があるので、高いＩＲ料金が、ＩＲを利用するユーザから徴収される可能性がある。
【００２２】
ローミング国での通信サービスの利用に関するそのような高いＩＲ料金の支払を避けるために、通常、ユーザは、ローミング国自体の中のサービス・プロバイダから加入を購入することができる。ローミング国のサービス・プロバイダは、特定のＩｎｔｅｒｎａｔｉｏｎａｌ  Ｍｏｂｉｌｅ  Ｓｕｂｓｃｒｉｂｅｒ  Ｉｄｅｎｔｉｔｙ（ＩＭＳＩ）番号およびローカルＭＳＩＳＤＮと共に、ユーザにローカルＳＩＭを与えることができる。ローカルＩＭＳＩ番号およびローカルＭＳＩＳＤＮを介して、ユーザは、追加のＩＲ料金を全く伴わずに、ローミング国のサービス・プロバイダによって徴収される通常料金で通信サービスを利用することができる。
【００２３】
しかし、ローミング国でのローカル加入の購入は、面倒で非効率的な解決策を提供する可能性がある。主に、ローミング国でのローカル加入の購入は、そのプロセス中に含まれる確認書類および書類事務に起因して、簡単な手続きではない可能性がある。さらに、ローカル加入の購入時に、ユーザは、モバイル機器（ＭＥ）内でユーザによって交換されなければならない、新しいＩＭＳＩおよびＭＳＩＳＤＮを有する新しいＳＩＭカードを与えられる。また、ユーザは、彼の仕事仲間／コミュニティ・サークルに新しいＭＳＩＳＤＮを与えなければならない可能性があり、これが面倒な課題になる可能性がある。時々、ユーザは、彼らのオリジナルのＳＩＭ内に連絡先リストおよびメッセージなどのパーソナル・データを有し、これらを新しいＳＩＭ内にコピーする必要がある可能性があり、これも面倒になる可能性がある。さらに、ユーザが、複数の国に旅行しなければならない状況では、すべての国に関する新しい加入の購入が、不便で非実用的になる可能性がある。
【００２４】
また、代替案として、ユーザは、別の国にローミングする間に複数のＩＭＳＩ  ＳＩＭを利用することができる。複数ＩＭＳＩ  ＳＩＭでは、ユーザに、複数のＩＭＳＩ番号および対応するＭＳＩＳＤＮを含むＳＩＭカードを与えることができる。ユーザが、対応する国内でローミングする間に特定のＩＭＳＩ番号および対応するＭＳＩＳＤＮを利用し、その国のサービス・プロバイダによって徴収される料金で通信サービスにアクセスできるように、各ＩＭＳＩ番号および対応するＭＳＩＳＤＮを、特定の国専用とすることができる。
【００２５】
しかし、複数ＩＭＳＩ  ＳＩＭカードの使用に関して、ユーザは、まず、彼のデフォルト・サービス・プロバイダから発行されたそのような複数ＩＭＳＩ  ＳＩＭカードを得なければならない可能性があり、その後、これをＭＥ内で交換しなければならない可能性もある。また、そのような複数ＩＭＳＩ  ＳＩＭカードは、関連するＩＭＳＩ番号および対応するＭＳＩＳＤＮが存在し、導入される国でのみ役立つ可能性がある。他の国について、ユーザは、それでも、ローカル加入を購入しなければならないか、高いＩＲ料金を支払わなければならないかのいずれかである可能性がある。さらに、複数ＩＭＳＩ  ＳＩＭカードでは、複数のＩＭＳＩ番号および対応するＭＳＩＳＤＮが導入されるので、任意の所与の瞬間に１つのＩＭＳＩだけが使用中なので、これが、リソースの浪費につながる。さらに、複数ＩＭＳＩ  ＳＩＭカードの使用は、母国以外の国に頻繁には旅行しないユーザにとって、さほど役に立たない可能性がある。
【００２６】
本主題の実施態様によれば、動的に、ローミングしている間にユーザにモバイル接続性を提供するシステムおよび方法が説明される。説明される方法およびシステムは、下でＩＲに関して説明されるが、当業者によって理解されるように、これらのシステムおよび方法を、少数の変更は伴うが、ＮＲで実施することができる。
【００２７】
一実施態様では、ローミング国で通信サービスを役立てることを望むユーザに、ユーザによって既に利用されているＳＩＭに関連する、ローミング国にローカルな新しいＭＳＩＳＤＮを、対応するＩＭＳＩ番号と一緒に動的に与えることができる。新しいＭＳＩＳＤＮおよび新しいＩＭＳＩ番号に基づいて、ユーザは、ＩＲ料金を引き付けることなく、ローミング国内で通信サービスを利用することができる。
【００２８】
前に説明したように、このシステムおよび方法を、通信のために定義された異なる標準規格に従ってネットワークと通信することができるさまざまな処理デバイスおよび通信するデバイス内で実施することができる。本明細書での説明は、携帯電話機などの通信するデバイスに関して説明されるが、当業者によって理解されるように、説明される方法（１つまたは複数）を他のデバイス内で実施することができる。
【００２９】
本明細書で説明されるシステムおよび方法を、さまざまな通信デバイスおよび／またはコンピューティング・システムもしくはコンピューティング・デバイスを使用するさまざまな通信ネットワーク内で実施することができる。通信ネットワークは、Ｇｌｏｂａｌ  Ｓｙｓｔｅｍ  ｆｏｒ  Ｍｏｂｉｌｅ  Ｃｏｍｍｕｎｉｃａｔｉｏｎ（ＧＳＭ）ネットワーク、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）ネットワーク、Ｌｏｎｇ  Ｔｅｒｍ  Ｅｖｏｌｕｔｉｏｎ（ＬＴＥ）ネットワーク、Ｐｅｒｓｏｎａｌ  Ｃｏｍｍｕｎｉｃａｔｉｏｎｓ  Ｓｅｒｖｉｃｅ（ＰＣＳ）ネットワーク、時分割多元接続（ＴＤＭＡ）ネットワーク、符号分割多元接続（ＣＤＭＡ）ネットワーク、Ｎｅｘｔ  Ｇｅｎｅｒａｔｉｏｎ  Ｎｅｔｗｏｒｋ（ＮＧＮ）、公衆交換電話網（ＰＳＴＮ）、およびサービス総合ディジタル網（ＩＳＤＮ）を含むことができる。本明細書の説明は、ある種の通信ネットワークを参照するが、当業者によって理解されるように、このシステムおよび方法を、少数の変更は伴うが、他のネットワークおよびデバイス内で実施することができる。
【００３０】
本明細書で説明されるシステムおよび方法は、一方では、ユーザが高いＩＲ料金なしでローミング国内で通信サービスを利用することを可能にする新しいＭＳＩＳＤＮおよび対応するＩＭＳＩ番号を提供し、他方では、ユーザが、ＳＩＭカードおよび対応するＭＳＩＳＤＮを交換することも、新しい加入を購入することも必要としない。明瞭さのために、ローミング国内でユーザに通信サービスを提供するサービス・プロバイダを、以下では副サービス・プロバイダと称する。
【００３１】
一般に、ＳＩＭに関連するＭＳＩＳＤＮおよびＩＭＳＩ番号は、どの通信サービスがユーザに提供されるのかに基づいて、デフォルト・サービス・プロバイダに固有である。各ユーザおよび関連するＳＩＭに関する情報は、サービス・プロバイダのＨｏｍｅ  Ｌｏｃａｔｉｏｎ  Ｒｅｇｉｓｔｅｒ（ＨＬＲ）内に格納される。デフォルト・サービス・プロバイダのＨＬＲは、本明細書ではデフォルトＨＬＲと称するが、ユーザのＩＭＳＩに基づいて、位置更新手順中に、使用可能な残高、ユーザ・ブロック・リスト、およびサービスへの加入などの異なるパラメータに基づいて、通信サービスを認可する、ユーザに関連するＳｅｒｖｉｃｅ  Ｃｏｎｔｒｏｌ  Ｐｏｉｎｔ（ＳＣＰ）詳細を提供する。さらに、ユーザに関連するデフォルトＨＬＲは、ユーザに関する他の詳細と一緒に、位置更新手順を介してユーザのリアル・タイム位置を用いて更新もされる。
【００３２】
一般に、ユーザが、ユーザが国境内を旅行する国内ローミングまたはＩＲのいずれかで彼のホーム・ネットワークの外部にいる間に、そのユーザによって役立てられた通信サービスについてそのユーザに課金するために、デフォルトＨＬＲに関連するＳＣＰが、トリガされる。説明されるように、請求のためにトリガされるＳＣＰの詳細は、ユーザのＩＭＳＩに基づいて、位置更新手順中にデフォルトＨＬＲから受信される。
【００３３】
本主題の一実施態様では、ローミング国内のユーザに通信サービスを提供するために、ローミング国にローカルであり、副サービス・プロバイダに対応するＩＭＳＩ番号（以下では副ＩＭＳＩ番号と称する）が、ユーザのＳＩＭカードに関連付けられる。言い替えると、ユーザのＳＩＭカードは、一方はデフォルト・サービス・プロバイダに対応し、他方は副サービス・プロバイダに対応する、２つのＩＭＳＩ番号に動的に関連付けられる。副ＭＳＩＳＤＮも、副ＩＭＳＩ番号に関連付けられることを理解されたい。さらに、副ＩＭＳＩ番号および副ＭＳＩＳＤＮは、デフォルト・サービス・プロバイダによってユーザに提供されるＳＩＭと共に導入されるのではなく、動的に割り振られるものとすることができる。当業者は、ユーザが彼の母国から複数のローミング国に旅行することを望む場合に、ＳＩＭカードを複数のＩＭＳＩ番号およびＭＳＩＳＤＮに動的に関連付けることもできることを了解するはずである。
【００３４】
本主題の一実施態様では、別の国に旅行することを望むユーザは、デフォルト・サービス・プロバイダに要求を送信することができる。この要求は、ユーザのＭＥからＵｎｓｔｒｕｃｔｕｒｅｄ  Ｓｕｐｐｌｅｍｅｎｔａｒｙ  Ｓｅｒｖｉｃｅ  Ｄａｔａ（ＵＳＳＤ）要求を介して送信されるか、音声呼を介してユーザによって提供されるか、またはユーザによって直接にサブミットされるかのいずれかとすることができる。前記実施態様では、要求は、他の詳細と一緒に、ユーザが訪問を望む国の詳細をも提供することができる。たとえば、ユーザが、国「Ａ」から国「Ｂ」へ旅行している場合に、ユーザは、国「Ａ」の詳細と一緒にＵＳＳＤ要求をデフォルト・サービス・プロバイダに送信することができる。
【００３５】
ユーザから要求を受信した時に、副ＩＭＳＩ番号および副ＭＳＩＳＤＮを、デフォルト・サービス・プロバイダによってユーザに割り振ることができる。ユーザに、副ＩＭＳＩ番号を知らない間にデフォルト・サービス・プロバイダによって副ＭＳＩＳＤＮを与えることができる。上で説明したように、副ＩＭＳＩ番号および副ＭＳＩＳＤＮは、ユーザが訪問し、通信サービスを利用することを望む国の副サービス・プロバイダに対応する。一実施態様では、ユーザは、既存のＳＩＭカードを利用することができ、割り振られた副ＩＭＳＩ番号および副ＭＳＩＳＤＮ番号は、デフォルト・サービス・プロバイダによって提供されたＳＩＭカードのＩＭＳＩおよびＭＳＩＳＤＮにマッピングされるのみとすることができる。当業者は、ＩＭＳＩ番号およびＭＳＩＳＤＮが、サービス・プロバイダに固有であり、あるサービス・プロバイダが、任意の他のサービス・プロバイダに対応するＩＭＳＩ番号およびＭＳＩＳＤＮを提供することを認可されない場合があることをも了解するはずである。
【００３６】
本主題の一実施態様では、副サービス・プロバイダに対応する副ＩＭＳＩ番号および副ＭＳＩＳＤＮを提供するために、デフォルト・サービス・プロバイダは、副サービス・プロバイダに属する使用可能なＩＭＳＩおよびＭＳＩＳＤＮのプールを所有することができる。副ＩＭＳＩ番号および副ＭＳＩＳＤＮを、ＳＩＭに関連するＩＭＳＩ番号およびＭＳＩＳＤＮ（以下ではデフォルトＩＭＳＩおよびデフォルトＭＳＩＳＤＮと称する）とは別々に、デフォルト・サービス・プロバイダによって動的に提供できることを理解されたい。副ＩＭＳＩ番号および副ＭＳＩＳＤＮの動的割振りは、サービス・プロバイダがＩＭＳＩ番号およびＭＳＩＳＤＮリソースを最適に利用することを可能にすることができる。
【００３７】
デフォルト・サービス・プロバイダが、副サービス・プロバイダに属するＩＭＳＩおよびＭＳＩＳＤＮのプールを所有するために、本主題の一実施態様では、デフォルト・サービス・プロバイダおよび副サービス・プロバイダが、双方の合意を有することができる。そのような合意は、お互いの加入者に通信サービスを提供するためのさまざまなビジネス態様および彼らの相互の理解に基づくものとすることができ、したがって、そのような合意の詳細は、簡潔さのために省略されている。
【００３８】
当業者は、デフォルト・サービス・プロバイダが副サービス・プロバイダに対応するＩＭＳＩ番号およびＭＭＳＩＳＤＮのプールを所有する形において、副サービス・プロバイダも、デフォルト・サービス・プロバイダに対応するＩＭＳＩ番号およびＭＭＳＩＳＤＮのプールを所有することができることをも理解するはずである。
【００３９】
一実施態様では、ローミング国内でユーザによって利用される通信サービスを、副ＩＭＳＩ番号および副ＭＳＩＳＤＮを介して提供することができ、ここで、ユーザは、デフォルト・サービス・プロバイダによって提供されたＳＩＭカードを利用しているものとすることができる、すなわち、ユーザは、ホーム・ネットワークでの使用のためにデフォルト・サービス・プロバイダによって提供されたＳＩＭカードを変更せずに、ローミング国内で通信サービスを利用することができる。前記実施態様では、そのような機能は、ユーザの主ＩＭＳＩ番号を、割り振られた副ＩＭＳＩ番号にマッピングすることによって提供される。
【００４０】
本主題の実施態様によれば、ユーザの主ＩＭＳＩ番号をユーザの副ＩＭＳＩ番号にマッピングするために、ＩＭＳＩマッピング（ＩＭ）ノード（ＩＭＮ）を実施することができる。ＩＭＮは、主ＩＭＳＩ番号を副ＩＭＳＩ番号にマッピングすることができる。さらに、ＩＭＮは、主ＭＳＩＳＤＮを副ＭＳＩＳＤＮにマッピングすることもできる。たとえば、デフォルト・サービス・プロバイダによって提供されたＳＩＭカードを利用するユーザが、ＩＭＳＩ番号「ｘ」を含む場合に。このユーザに、ローミング国内で通信サービスを利用するために副ＩＭＳＩ番号「ｙ」を割り振ることができる。そのような状況で、ＩＭＮは、ユーザが高いＩＲ料金をこうむらずにローミング国内で通信サービスを利用するために、ＩＭＳＩ番号「ｘ」をＩＭＳＩ番号「ｙ」にマッピングするはずである。
【００４１】
上で説明したように、位置更新手順中に、ユーザのデフォルトＨＬＲは、ＩＭＳＩ番号に基づいてユーザに関する詳細を受信するために連絡される。当業者によって理解されるように、位置更新手順を容易にするために、ユーザのＭＥがラッチされるＭｏｂｉｌｅ  ｓｗｉｔｃｈｉｎｇ  Ｃｅｎｔｅｒ（ＭＳＣ）またはＶｉｓｉｔｉｎｇ  Ｌｏｃａｔｉｏｎ  Ｒｅｇｉｓｔｅｒ（ＶＬＲ）は、Ｍｏｂｉｌｅ  ＧＴ（ＭＧＴ）アドレスに基づいてユーザに関連するデフォルトＨＬＲに連絡し、ここで、ＭＧＴアドレスは、サービス・プロバイダのＩＭＳＩ番号範囲およびＳｉｇｎａｌｌｉｎｇ  Ｃｏｎｎｅｃｔｉｏｎ  Ｃｏｎｔｒｏｌ  Ｐａｒｔ（ＳＣＣＰ）データを使用することによって形成される。これらのＭＧＴアドレスは、サービス・プロバイダのＩＭＳＩ範囲を使用することによって形成される。ＩＭＳＩは、あるオペレータについて一意であり、したがって、すべてのＭＧＴ範囲は、ＩＭＳＩを使用して準備され、ＳＣＣＰ  Ｇｌｏｂａｌ  ｔｉｔｌｅ構成を使用して、ＩＭＳＩに専用のデフォルトＨＬＲに向けられる。
【００４２】
本主題の一実施態様では、副サービス・プロバイダのＭＳＣ、ＶＬＲ、ＨＬＲ、Ｓｅｒｖｉｎｇ  ＧＰＲＳ  Ｓｕｐｐｏｒｔ  Ｎｏｄｅ（ＳＧＳＮ）、およびＳｈｏｒｔ  Ｍｅｓｓａｇｅ  Ｓｅｒｖｉｃｅ  Ｃｅｎｔｅｒ（ＳＭＳＣ）内のＳＣＣＰデータは、副サービス・プロバイダに属するＩＭＳＩ番号のプールからの副ＩＭＳＩ番号を利用してＩＲ内でユーザのために変更され、デフォルト・サービス・プロバイダによって所有され得る。
【００４３】
一実施態様では、この変更に基づいて、ユーザによって開始された位置更新要求を、ユーザに接続された副サービス・プロバイダのＶＬＲ（以下では副ＶＬＲと称する）によって、ユーザのデフォルトＨＬＲではなくＩＭＮに向けることができる。前記実施態様では、副ＶＬＲは、主ＩＭＳＩ番号としてのユーザのＩＭＳＩ番号と共にＩＭＮに位置更新メッセージを送信することができる。ＶＬＲは、ＳＣＣＰデータが変更されているＩＭＳＩ番号のみについてＩＭＮに位置更新メッセージを送信することができる。
【００４４】
さらに、前記実施態様では、ＩＭＮは、副ＶＬＲから位置更新要求を受信した時に、ユーザの合意認証プロセスを開始することができる。合意認証プロセスでは、ＩＭＮは、ＩＭＳＩ番号およびＭＳＩＳＤＮのプールを共有する、副サービス・プロバイダとデフォルト・サービス・プロバイダとの間の合意を認証することができる。認証が成功の場合には、ＩＭＮは、複数ＩＭＳＩ位置更新プロセスを開始することができる。
【００４５】
一実施態様では、複数ＩＭＳＩ位置更新プロセス中に、副ＶＬＲから受信された主ＩＭＳＩ番号に基づいて、ＩＭＮは、ユーザに割り振られる副ＩＭＳＩ番号を判定することができる。さらに、複数ＩＭＳＩ位置更新プロセス中に、ＩＭＮは、副ＶＬＲから受信された位置更新メッセージに似たダミー位置更新メッセージを作ることができる。ダミー位置更新メッセージは、副ＶＬＲから受信された位置更新メッセージに類似するものとすることができるが、ＩＭＮは、ダミー位置更新メッセージ内で主ＩＭＳＩ番号を副ＩＭＳＩ番号に置換することができる。言い替えると、ＩＭＮは、２つの位置更新メッセージすなわち、主ＩＭＳＩ番号を有する１つのオリジナル位置更新メッセージおよび副ＩＭＳＩ番号を有するもう１つのダミー位置更新メッセージを生成することができる。
【００４６】
ＩＭＮは、さらに、主ＩＭＳＩ番号を有するオリジナル位置更新メッセージをユーザのデフォルトＨＬＲに、副ＩＭＳＩを有するダミー位置更新メッセージを副サービス・プロバイダのＨＬＲ（以下では副ＨＬＲと称する）に提供することができる。前記実施態様では、ダミー位置更新メッセージは、ＶＬＲの実際のアドレスではなくＩＭＮのアドレスを含むことができる。複数ＩＭＳＩ位置更新プロセス中にＩＭＮによって送信された位置更新メッセージに基づいて、ユーザのデフォルト・サービス・プロバイダは、主ＩＭＳＩ番号に基づいてユーザの位置を用いて更新される。同様に、副サービス・プロバイダは、副ＩＭＳＩに基づいて関連するＩＭＮのアドレスを用いて更新される。
【００４７】
ＩＭＮによって受信された位置更新メッセージに応答して、デフォルトＨＬＲおよび副ＨＬＲは、ＩＳＤメッセージをＩＭＮに送信することができる。一実施態様では、ＩＭＮは、デフォルトＨＬＲから受信されたＩＳＤメッセージを無視することができる。さらに、ＩＭＮは、副ＨＬＲから受信されたＩＳＤメッセージをＶＬＲに転送することができる。そのような状況で、ユーザは、主ＩＭＳＩに関連する主ＭＳＩＳＤＮと副ＩＭＳＩに関連する副ＭＳＩＳＤＮとの両方を利用できるはずである。ユーザは、呼およびメッセージなどの発信サービスに副ＭＳＩＳＤＮを利用することができるが、主ＭＳＩＳＤＮならびに副ＭＳＩＳＤＮは、着信サービスのために利用され得る。
【００４８】
主ＭＳＩＳＤＮに基づいて開始された、ユーザのＭｏｂｉｌｅ  Ｔｅｒｍｉｎａｔｉｎｇ（ＭＴ）呼は、デフォルトＨＬＲと共に存在するユーザの位置情報に基づいてデフォルト・サービス・プロバイダを介してルーティングされるはずであり、副ＭＳＩＳＤＮに基づいて開始された、ユーザのＭＴ呼は、ＩＭＮと共に存在する位置情報に基づいて副サービス・プロバイダを介してルーティングされるはずである。
【００４９】
さらに、本主題のもう１つの実施態様では、ＳＣＣＰデータの変更は、副ＶＬＲが、ユーザに関連するＭｏｂｉｌｅ  Ｏｒｉｇｉｎａｔｉｎｇ（ＭＯ）呼およびＭＴ呼について、デフォルト・サーバ・プロバイダまたは副サービス・プロバイダのいずれかのＳＣＰをトリガすることを可能にすることもできる。これは、ユーザが、デフォルト・サービス・プロバイダに関する料金のための単一のアカウントまたは、副サービス・プロバイダによって提供されるローカル料金算定方式に基づくサービスの料金が副サービス・プロバイダに関連する第２のアカウントから課金されるようにするために２つのアカウントのいずれかを維持することを可能にすることができる。
【００５０】
したがって、上述のシステムおよび方法は、ユーザが、高いＩＲ課金を引き付けずにローミング国内で通信サービスを利用することを可能にすることができる。また、ユーザは、ＳＩＭカードを交換することまたは新しい複数ＩＭＳＩ  ＳＩＭカードを購入することを要求されないものとすることができる。さらに、副ＩＭＳＩ番号および副ＭＳＩＳＤＮが、ユーザのＳＩＭがローカルＳＩＭとして働くことを可能にし、高いＩＲ課金を引き付けないので、ユーザに、ローミング国内で無料着呼を与えることができる。
【００５１】
本明細書の説明は、ＧＳＭ通信ネットワークを参照するが、当業者によって理解されるように、このシステムおよび方法を、少数の変更は伴うが他のネットワークおよびデバイス内で実施することができる。他の通信ネットワークは、Ｇｌｏｂａｌ  Ｓｙｓｔｅｍ  ｆｏｒ  Ｍｏｂｉｌｅ  Ｃｏｍｍｕｎｉｃａｔｉｏｎ（ＧＳＭ）ネットワーク、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）ネットワーク、Ｌｏｎｇ  Ｔｅｒｍ  Ｅｖｏｌｕｔｉｏｎ（ＬＴＥ）ネットワーク、Ｐｅｒｓｏｎａｌ  Ｃｏｍｍｕｎｉｃａｔｉｏｎｓ  Ｓｅｒｖｉｃｅ（ＰＣＳ）ネットワーク、時分割多元接続（ＴＤＭＡ）ネットワーク、符号分割多元接続（ＣＤＭＡ）ネットワーク、Ｎｅｘｔ  Ｇｅｎｅｒａｔｉｏｎ  Ｎｅｔｗｏｒｋ（ＮＧＮ），公衆交換電話網（ＰＳＴＮ）、およびサービス総合ディジタル網（ＩＳＤＮ）を含むことができる。
【００５２】
この説明が、単に本主題の原理を例示することに留意されたい。したがって、当業者が、本明細書では明示的に説明されないが、本主題の原理を実施し、その趣旨および範囲に含まれるさまざまな配置を考案できることを了解されたい。さらに、本明細書で列挙されるすべての例は、主に、特に、当技術を促進するために本発明の原理および本発明人（１つまたは複数）によって寄与される概念を理解する際に読者を助けるという教育的目的だけのためのものであることが、意図されている。さらに、本発明の原理、態様、および実施形態ならびにその特定の例を列挙する本明細書のすべての言説は、その同等物を包含することが意図されている。
【００５３】
ローミングしている間にユーザにモバイル接続性を提供するシステムおよび方法が実施される形を、図１〜４に関して詳細に説明する。ユーザにモバイル接続性を提供する、説明されるシステムおよび方法の諸態様を、任意の個数の異なるコンピューティング・システム、伝送環境、および／または構成で実施することができるが、実施形態は、次の例示的なシステム（１つまたは複数）の文脈で説明される。
【００５４】
当業者は、本明細書で使用される単語ｄｕｒｉｎｇ（〜の間）、ｗｈｉｌｅ（〜の間）、およびｗｈｅｎ（〜の時）が、開始するアクションの際に瞬間的にアクションが行われることを意味する正確な用語ではなく、初期アクションとその初期アクションによって開始される反応との間に、伝搬遅延など、短いが穏当な遅延があってもよいことをも了解するであろう。さらに、単語「ｃｏｎｎｅｃｔｅｄ（接続された）」および「ｃｏｕｐｌｅｄ（結合された）」は、説明の明瞭さのために終始使用され、直接接続または間接接続のいずれをも含むことができる。
【００５５】
図１に、本主題の実施形態による、ローミングしている間にユーザにモバイル接続性を提供するように構成された通信ネットワーク環境１００を示す。通信ネットワーク環境１００は、通信ネットワーク１０４を介してお互いと通信する１つまたは複数の通信デバイス１０２−１、１０２−２、…、および１０２−Ｎ（以下では、集合的に通信デバイス１０２と称し、個別に通信デバイス１０２と称する）を含む。通信デバイス１０２は、各ユーザと通信するのに使用されるユーザ機器（ＵＥ）である。さらに、通信デバイス１０２は、ＭＳＩＳＤＮおよびＩＭＳＩ番号を関連付けられ得るＳＩＭを含むことができる。通信デバイス１０２の例は、限定なしに、デスクトップ・コンピュータ、ハンドヘルド・デバイス、ラップトップまたは他のポータブル・コンピュータ、ネットワーク・コンピュータ、携帯電話機、陸線電話機、および類似物を含むことができる。通信デバイス１０２のそれぞれは、通信デバイス１０２が結合された通信ネットワーク１０４によって定義される通信プロトコルに作用する。
【００５６】
通信ネットワーク１０４は、無線ネットワークもしくは有線ネットワークまたはその組合せとすることができる。通信ネットワーク１０４を、お互いと相互接続され、単一の大きいネットワーク（たとえば、インターネットまたはイントラネット）として機能する、個々のネットワークの集合とすることができる。そのような個々のネットワークの例は、Ｇｌｏｂａｌ  Ｓｙｓｔｅｍ  ｆｏｒ  Ｍｏｂｉｌｅ  Ｃｏｍｍｕｎｉｃａｔｉｏｎ（ＧＳＭ）ネットワーク、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）ネットワーク、Ｐｅｒｓｏｎａｌ  Ｃｏｍｍｕｎｉｃａｔｉｏｎｓ  Ｓｅｒｖｉｃｅ（ＰＣＳ）ネットワーク、時分割多元接続（ＴＤＭＡ）ネットワーク、符号分割多元接続（ＣＤＭＡ）ネットワーク、Ｎｅｘｔ  Ｇｅｎｅｒａｔｉｏｎ  Ｎｅｔｗｏｒｋ（ＮＧＮ）、公衆交換電話網（ＰＳＴＮ）、およびサービス総合ディジタル網（ＩＳＤＮ）を含むが、これに限定されない。技術に依存して、通信ネットワーク１０４は、ゲートウェイ、ルータなどのさまざまなネットワーク・エンティティを含むが、そのような詳細は、理解の簡単さのために省略されている。
【００５７】
この説明は、通信デバイス１０２−１および１０２−２を参照して説明されるが、これを、他の通信デバイスに拡張することもできる。説明のために、通信デバイス１０２−１を、これを登録できるサービス・プロバイダすなわち通信デバイス１０２−１のデフォルト・サービス・プロバイダに接続されると考えることができる。さらに、非ホーム・ネットワーク内に配置されることおよび別の国の中でローミングすることなど、さまざまな理由に起因して、通信デバイス１０２−２は、通信デバイス１０２−２のデフォルト・サービス・プロバイダではない場合があるサービス・プロバイダに接続される可能性がある。明白であるように、通信デバイス１０２−２が接続されるサービス・プロバイダは、通信デバイス１０２−２の副サービス・プロバイダである。説明の簡単さのために、通信デバイス１０２−２のデフォルト・サービス・プロバイダは、通信デバイス１０２−１が接続されるサービス・プロバイダと考えられる、すなわち、通信デバイス１０２−１がそのホーム・ネットワークであり、通信デバイス１０２−２がローミングしている間に、通信デバイス１０２−１と１０２−２との両方が、同一のサービス・プロバイダに登録される。
【００５８】
通信ネットワーク１０４は、複数のサービス・プロバイダを含むことができる。説明の簡単さのために、本明細書では、２つのサービス・プロバイダすなわち、上の例で通信デバイス１０２−１および通信デバイス１０２−２のデフォルト・サービス・プロバイダであるデフォルト・サービス・プロバイダと、通信デバイス１０２−１の副サービス・プロバイダである副サービス・プロバイダとを検討する。さらに、通信デバイス１０２−１へのデフォルト・サービス・プロバイダおよび副サービス・プロバイダは、異なる国内に配置されるものとすることができ、副サービス・プロバイダは、通信デバイス１０２−１にＩＲを提供することができる。
【００５９】
お互いと通信するために、通信デバイス１０２−１および１０２−２のそれぞれは、セル内で無線カバレージを提供する、最も近いｂａｓｅ  ｔｒａｎｓｃｅｉｖｅｒ  ｓｔａｔｉｏｎ（この図には図示せず）に接続する。複数のｂａｓｅ  ｔｒａｎｓｃｅｉｖｅｒ  ｓｔａｔｉｏｎが、基地局制御装置（この図には図示せず）に接続し、この基地局制御装置は、基地局の間のハンドオーバをもたらすローカル・スイッチングを提供する。基地局制御装置は、さらに、ｍｏｂｉｌｅ  ｓｗｉｔｃｈｉｎｇ  ｃｅｎｔｅｒ（ＭＳＣ）に接続され、このＭＳＣは、加入者すなわち通信デバイス１０２−１のユーザおよび通信デバイス１０２−２のユーザに通信サービスを提供する責任を負う。
【００６０】
本主題の一実施態様では、通信デバイス１０２−１は、そのホーム・ネットワーク内にあるものとすることができ、デフォルトＭｏｂｉｌｅ  Ｓｗｉｔｃｈｉｎｇ  Ｃｅｎｔｅｒ（Ｄ−ＭＳＣ）／ＶＬＲ  １０６−１に接続されるが、それ自体の基地局制御装置および他のネットワーク・エンティティ（図示せず）を介して、データを転送し、音声呼およびメッセージなどの通信サービスを役立てることができる。同様に、別のサービス・プロバイダすなわち、通信デバイス１０２−２が副Ｍｏｂｉｌｅ  Ｓｗｉｔｃｈｉｎｇ  Ｃｅｎｔｅｒ（Ｓ−ＭＳＣ）／ＶＬＲ  １０６−２を介して接続され得る副サービス・プロバイダが存在することができる。
【００６１】
さらに、Ｄ−ＭＳＣ／ＶＬＲ  １０６−１およびＳ−ＭＳＣ／ＶＬＲ  １０６−２を、デフォルトＨｏｍｅ  ｌｏｃａｔｉｏｎ  ｒｅｇｉｓｔｅｒ（Ｄ−ＨＬＲ）１０８−１および副ＨＬＲ（Ｓ−ＨＬＲ）１０８−２（以下では集合的にＨＬＲ  １０８と称する）などの対応するＨＬＲに関連付けることができる。通常、ＨＬＲ  １０８のそれぞれは、サービス・プロバイダに登録された各ユーザに関連する情報を格納することを理解されたい。この情報は、ホームＳＣＰアドレス参照およびサービス・トリガを含む加入者のＣＡＭＥＬ加入情報を含むＭＳＣ／ＶＬＲのアドレス、加入者のホーム位置、加入者が現在配置されているＭＳＣのアドレス、その他を含むことができるが、これに限定はされない。ＨＬＲ  １０８は、各加入者のＳＩＭに関連するＩＭＳＩ番号およびその加入者のＭＳＩＳＤＮ番号などの情報をも格納する。当業者は、Ｄ−ＭＳＣ／ＶＬＲ  １０６−１およびＤ−ＨＬＲ  １０８−１を、別々のエンティティとして実施することができ、あるいは、単一のユニット内で実施することができることを了解するはずである。同様に、Ｓ−ＭＳＣ／ＶＬＲ  １０６−２およびＳ−ＨＬＲ  １０８−２を、別々のエンティティとして実施することができ、あるいは、単一のユニット内で実施することができる。
【００６２】
デフォルト・サービス・プロバイダおよび副サービス・プロバイダは、デフォルトＳｅｒｖｉｃｅ  Ｃｏｎｔｒｏｌ  Ｐｏｉｎｔ（Ｄ−ＳＣＰ）１１０−１および副ＳＣＰ（Ｓ−ＳＣＰ）１１０−２（以下では共通してＳＣＰ  １１０と称する）などのＳＣＰを実施することもできる。各サービス・プロバイダが、少なくとも１つのＳＣＰを実施し、このＳＣＰが、サービス・プロバイダの加入者のアカウントおよびサービス加入情報を保持することを理解されたい。アカウント情報は、加入者の使用可能な残高、加入者のブロック・リスト、加入者によって選択された料金算定方式、および加入者によって採用された加入など、ユーザ・アカウントに関する情報を含むことができる。デフォルト・サービス・プロバイダによって提供される通信サービスの任意の使用中に、Ｄ−ＳＣＰ  １１０−１に、使用可能な残高などのアカウント情報に基づいて、認証のためにＤ−ＭＳＣ／ＶＬＲ  １０６−１によって連絡することができる。さらに、Ｄ−ＳＣＰ  １１０−１は、料金算定方式プランに基づいて、通信デバイス１０２−１を利用するユーザなどのユーザに課金することもできる。さらに、各加入者に関連するＳＣＰの詳細が、ユーザのデフォルトＨＬＲを用いて使用可能であることを理解されたい。したがって、通信デバイス１０２−１および１０２−２に関連するＤ−ＳＣＰ  １１０−１の詳細を、デフォルト・サービス・プロバイダによって維持されるＤ−ＨＬＲ  １０８−１内に格納することができる。
【００６３】
同様に、副サービス・プロバイダは、ユーザ・アカウント情報を格納し、副サービス・プロバイダに登録されたユーザによって利用される通信サービスを認証するために、Ｓ−ＳＣＰ  １１０−２などの少なくとも１つのＳＣＰを実施し、維持することもできる。一実施態様では、２つのＭＳＣ／ＶＬＲ  １０６−１および１０６−２を接続するために、通信ネットワーク１０４は、２つのＭＳＣ  １０６−１および１０６−２を相互接続するノードとして働くことができるｇａｔｅｗａｙ  ＭＳＣ（Ｇ−ＭＳＣ）（図示せず）をも含むことができる。Ｇ−ＭＳＣを、別々のエンティティとすることができ、あるいは、Ｇ−ＭＳＣの機能性を、Ｄ−ＭＳＣ／ＶＬＲ  １０６−１またはＳ−ＭＳＣ／ＶＬＲ  １０６−２の機能性と一体化することができることを理解されたい。説明および単純さのために、前記実施態様では、Ｇ−ＭＳＣが、Ｄ−ＭＳＣ／ＶＬＲ  １０６−１およびＳ−ＭＳＣ／ＶＬＲ  １０６−２と一体化される。
【００６４】
通信ネットワーク１０４は、さらに、ＩＭＮ  １１２などのＩＭＳＩマッピング（ＩＭ）ノード（ＩＭＮ）を実施することができる。ＩＭＮ  １１２は、デフォルト・サービス・プロバイダおよび副サービス・プロバイダなどの異なるサービス・プロバイダのエンティティの間で通信するように構成されたネットワーク・エンティティとすることができる。ＩＭＮ  １１２は、サービス・プロバイダ間合意ならびにサービス・プロバイダの間の共有されるＭＳＩＳＤＮおよびＩＭＳＩのプールに関する詳細に関する情報を含むことができる。ＩＭＮ  １１２は、ユーザに関連する主ＩＭＳＩ番号と副ＩＭＳＩ番号との間のマッピングをも含むことができる。一実施態様では、ＩＭＮ  １１２は、ＨＬＲ  １０８とＳ−ＭＳＣ／ＶＬＲ  １０６−２との間で通信することができる。ＩＭＮ  １１２は、サービス・プロバイダ間合意およびユーザに関連する主ＩＭＳＩ番号と副ＩＭＳＩ番号との間のマッピングに基づいて、ユーザに関するローカル料金算定方式でのＩＲの利用を可能にする。
【００６５】
一実施態様では、別の国内でローミングし、ＩＲを利用している間に、ユーザは、２つのＭＳＩＳＤＮを利用することができる。一方のＭＳＩＳＤＮは、デフォルト・サービス・プロバイダに関連するもの（主ＭＳＩＳＤＮ）とすることができ、他方のＭＳＩＳＤＮは、副サービス・プロバイダに関連するもの（副ＭＳＩＳＤＮ）とすることができる。さらに、副ＩＭＳＩ番号を、ユーザによって利用される副ＭＳＩＳＤＮに関連付けることもできる。ＩＭＮ  １１２は、主ＭＳＩＳＤＮおよび主ＩＭＳＩ番号と副ＭＳＩＳＤＮおよび副ＩＭＳＩ番号との間のマッピングを含むことができる。ＩＭＮ  １１２でのそのようなマッピングは、主ＩＭＳＩ番号を組み込まれたＳＩＭを利用しているユーザの副ＭＳＩＳＤＮヘの呼およびメッセージのルーティングを可能にすることができる。
【００６６】
動作時に、ＩＭＮ  １１２は、異なるＩＭＳＩ番号と共に、デフォルト・サービス・プロバイダと副サービス・プロバイダとの両方にユーザの位置詳細を提供することができる。デフォルト・サービス・プロバイダに、主ＩＭＳＩ番号と一緒にユーザの位置詳細を与えることができ、副サービス・プロバイダに、副ＩＭＳＩ番号と一緒にユーザの位置詳細を与えることができる。異なるＩＭＳＩ番号を伴う位置詳細の二重更新は、デフォルト・サービス・プロバイダが主ＭＳＩＳＤＮ上でユーザのＭＴ呼をルーティングすることを可能にすることができ、副サービス・プロバイダが副ＭＳＩＳＤＮ上でユーザのＭＴ呼をルーティングすることをも可能にすることができる。したがって、通信環境１００でのＩＭＮ  １１２の実施態様は、ＳＩＭを変更せず、複数ＩＭＳＩ  ＳＩＭを利用せずに、ユーザによる複数のＭＳＩＳＤＮの使用を可能にすることができる。よりよい理解のために、ＩＭＮ  １１２実施態様の詳細を、さらに、図２を参照してより詳細に説明する。
【００６７】
図２に、本主題の実施形態による、ネットワーク・エンティティ２０１、Ｓ−ＭＳＣ／ＶＬＲ  １０６−２、およびＩＭＮ  １１２の構成要素を示す。本主題によれば、ネットワーク・エンティティ２０１、Ｓ−ＭＳＣ／ＶＬＲ  １０６−２、およびＩＭＮ  １１２は、通信ネットワーク１０４（図１に図示）のさまざまなコンポーネントを介してお互いに通信的に結合される。
【００６８】
一実施態様では、ネットワーク・エンティティ２０１は、副ＭＳＩＳＤＮおよび副ＩＭＳＩ番号をＩＲのためにユーザに提供するために、ユーザのデフォルト・サービス・プロバイダによって実施され得る。ネットワーク・エンティティ２０１を、異なる通信するデバイスおよびコンピューティング・デバイスに接続性を提供するためにデータを交換することができるエンティティによるなど、デフォルト・サービス・プロバイダの任意のエンティティとして実施することができる。そのようなエンティティは、無線ネットワーク制御装置（ＲＮＣ）、Ｂａｓｅ  Ｔｒａｎｓｃｅｉｖｅｒ  Ｓｔａｔｉｏｎ（ＢＴＳ）、Ｍｏｂｉｌｅ  Ｓｗｉｔｃｈｉｎｇ  Ｃｅｎｔｒｅ（ＭＳＣ）、Ｓｈｏｒｔ  Ｍｅｓｓａｇｅ  Ｓｅｒｖｉｃｅ  Ｃｅｎｔｒｅ（ＳＭＳＣ）、Ｂａｓｅ  Ｓｔａｔｉｏｎ  Ｓｕｂｓｙｓｔｅｍ（ＢＳＳ）、Ｈｏｍｅ  Ｌｏｃａｔｉｏｎ  Ｒｅｇｉｓｔｅｒ（ＨＬＲ）、Ｖｉｓｉｔｏｒ  Ｌｏｃａｔｉｏｎ  Ｒｅｇｉｓｔｅｒ（ＶＬＲ）、およびＡｕｔｈｅｎｔｉｃａｔｉｏｎ  Ｃｅｎｔｅｒ（ＡｕＣ）を含むことができるが、これに限定されない。
【００６９】
ＩＭＮ  １１２、Ｓ−ＭＳＣ／ＶＬＲ  １０６−２、およびネットワーク・エンティティ２０１は、本明細書で集合的にプロセッサ２０２と称するプロセッサ２０２−１、２０２−２、および２０２−３を含むことができる。プロセッサ２０２を、１つまたは複数のマイクロプロセッサ、マイクロコンピュータ、マイクロコントローラ、ディジタル信号プロセッサ、中央処理装置、状態機械、論理回路網、および／または動作命令に基づいて信号を操作する任意のデバイスとして実施することができる。他の能力の中でも、プロセッサ（１つまたは複数）は、メモリに格納されたコンピュータ可読命令を取り出し、実行するように構成される。
【００７０】
「プロセッサ（１つまたは複数）」というラベルを付けられたすべての機能ブロックを含む、この図に示されたさまざまな要素の機能を、専用ハードウェアならびに適当なソフトウェアに関連するソフトウェアを実行できるハードウェアの使用を介して提供することができる。プロセッサによって提供される時に、機能を、単一の専用のプロセッサによって、単一の共有されるプロセッサによって、または、その一部が共有され得る複数の個々のプロセッサによって提供することができる。さらに、用語「プロセッサ」の明示的な使用は、ソフトウェアを実行できるハードウェアを排他的に指すと解釈されてはならず、限定なしに、暗黙のうちに、ディジタル信号プロセッサ（ＤＳＰ）ハードウェア、特定用途向け集積回路（ＡＳＩＣ）、フィールド・プログラマブル・ゲート・アレイ（ＦＰＧＡ）、ソフトウェアを格納する読取り専用メモリ（ＲＯＭ）、ランダム・アクセス・メモリ（ＲＡＭ）、不揮発性ストレージを含むことができる。従来のおよび／またはカスタムの他のハードウェアを含めることもできる。
【００７１】
ＩＭＮ  １１２、Ｓ−ＭＳＣ／ＶＬＲ  １０６−２、およびネットワーク・エンティティ２０１は、さらに、それぞれメモリ２０４−１、２０４−２、および２０４−３と称する１つまたは複数のメモリ構成要素を含むことができる。メモリ２０４−１、２０４−２、および２０４−３を、以下では集合的にメモリ２０４と称する。メモリ２０４は、スタティック・ランダム・アクセス・メモリ（ＳＲＡＭ）およびダイナミック・ランダム・アクセス・メモリ（ＤＲＡＭ）などの揮発性メモリ、ならびに／または読取り専用メモリ（ＲＯＭ）、消去可能プログラム可能ＲＯＭ、フラッシュ・メモリ、ハード・ディスク、光ディスク、および磁気テープなどの不揮発性媒体を含む、当技術分野で既知のすべてのコンピュータ可読媒体を含むことができる。メモリを、たとえば、ランダム・アクセス・メモリなどの揮発性メモリおよび／またはフラッシュなどの不揮発性メモリを含む当技術分野で既知のすべてのコンピュータ可読媒体を含むことができるコンピュータ可読媒体とすることもできる。
【００７２】
ＩＭＮ  １１２、Ｓ−ＭＳＣ／ＶＬＲ  １０６−２、およびネットワーク・エンティティ２０１は、とりわけ、特定のタスクを実行するか特定の抽象データ型を実施する、ルーチン、プログラム、オブジェクト、コンポーネント、データ構造、および類似物を含む異なるモジュールを含むこともできる。モジュール、たとえばオペレーティング・システムのモジュールは、ＩＭＮ  １１２、Ｓ−ＭＳＣ／ＶＬＲ  １０６−２、およびネットワーク・エンティティ２０１上のアプリケーションを補足することができる。モジュールが、メモリ構成要素とは別々であるものとして図示されているが、モジュールを、メモリ２０４内で実施することもできることを理解されたい。一実施態様では、ＩＭＮ  １１２、Ｓ−ＭＳＣ／ＶＬＲ  １０６−２、およびネットワーク・エンティティ２０１は、さらに、とりわけ、モジュールのうちの１つまたは複数によって取り出され、処理され、受け取られ、または生成され得るデータを格納するためのリポジトリとして働くデータ（図示せず）を含むことができる。
【００７３】
一実施態様では、ＩＭＮ  １１２、Ｓ−ＭＳＣ／ＶＬＲ  １０６−２、およびネットワーク・エンティティ２０１は、それぞれ要求処理モジュール２０６−１、２０６−２、および２０６−３を含むことができる。単純さのために、要求処理モジュール２０６−１、２０６−２、および２０６−３を、以下では集合的に要求処理モジュール２０６と称する。さらに、ＩＭＮ  １１２は、構成モジュール２０８を含むことができ、Ｓ−ＭＳＣ／ＶＬＲ  １０６−２は、分析モジュール２１０を含むことができ、ネットワーク・エンティティ２０１は、要求処理モジュール２０６−１、２０６−２、および２０６−３とは別に割振りモジュール２１２を含むことができる。ＩＭＮ  １１２、Ｓ−ＭＳＣ／ＶＬＲ  １０６−２、およびネットワーク・エンティティ２０１は、集合的に他のモジュール２１４と称する、他のモジュール２１４−１、２１４−２、および２１４−３をも含むことができる。他のモジュール２１４は、アプリケーションおよび関数を補足するプログラムまたはコーディングされた命令、たとえば、ＩＭＮ  １１２、Ｓ−ＭＳＣ／ＶＬＲ  １０６−２、およびネットワーク・エンティティ２０１のオペレーティング・システム内のプログラムを含むことができる。
【００７４】
Ｓ−ＭＳＣ／ＶＬＲ  １０６−２を、ユーザの副サービス・プロバイダによって実施することができる。ＩＭＮ  １１２を、デフォルト・サービス・プロバイダまたは副サービス・プロバイダのいずれかによって実施することができる。もう１つの実施態様では、ＩＭＮ  １１２を、デフォルト・サービス・プロバイダおよび副サービス・プロバイダ以外の独立のサービス・プロバイダによって実施することができる。ＩＭＮ  １１２は、独立のネットワーク・エンティティとして図示されているが、当業者は、ＩＭＮ  １１２を、単一のユニットとしてデフォルト・サービス・プロバイダまたは副サービス・プロバイダのエンティティを用いて実施することもできることを了解するはずである。
【００７５】
本主題の一実施態様では、彼のホーム・ネットワーク内で通信サービスを利用するユーザが、別の国に旅行し、同一の通信サービスを利用することを望む場合がある。そのようなユーザは、ＩＲサービスを定要する要求を、彼のデフォルト・サービス・プロバイダに送信することができる。たとえば、このユーザは、Ｕｎｓｔｒｕｃｔｕｒｅｄ  Ｓｕｐｐｌｅｍｅｎｔａｒｙ  Ｓｅｒｖｉｃｅ  Ｄａｔａ（ＵＳＳＤ）メッセージ、ショート・サービス・メッセージ（ＳＭＳ）、またはＷｉｒｅｌｅｓｓ  Ａｐｐｌｉｃａｔｉｏｎ  Ｐｒｏｔｏｃｏｌ（ＷＡＰ）プッシュ・メッセージをデフォルト・サービス・プロバイダに送信することができる。このメッセージは、ローミング国の国際信号、滞在の持続時間、ローミング国内の好ましいサービス・プロバイダなど、ＩＲに関する詳細を含むことができる。別の実施態様では、ユーザは、Ｉｎｔｅｒａｃｔｉｖｅ  Ｖｏｉｃｅ  Ｒｅｓｐｏｎｓｅ（ＩＶＲ）システム、カスタマ・ケア、またはウェブ・アプリケーションを介して要求を送信することができる。さらに、本主題のもう１つの実施態様では、ユーザは、デフォルト・サービス・プロバイダに直接に要求をサブミットすることができる。当業者は、メッセージまたは要求が、ユーザがホーム・ネットワーク内にあるかローミング国に到着した後にユーザによって送信され得ることを了解するはずである。
【００７６】
本主題のもう１つの実施態様では、ユーザは、副ＭＳＩＳＤＮを自動的に与えられ、対応する副ＩＭＳＩ番号に自動的に関連付けられるものとすることができる。これを、ユーザがローミング国に到着し、ローミング国の通信ネットワークにラッチするや否や、ユーザに提供することができる。
【００７７】
ユーザの要求を、デフォルト・サービス・プロバイダによって処理することができる。一実施態様では、ネットワーク・エンティティ２０１の要求処理モジュール２０６−３が、そのような要求を処理することができる。要求処理モジュール２０６−３は、受信された要求に基づいて、ユーザがそれに関するＩＲサービスを要求した国を判定することができる。国の判定は、要求処理モジュール２０６−３が、その国内のサービス・プロバイダとの合意の存在を識別することを可能にすることができる。すなわち、デフォルト・サービス・プロバイダが、要求された国内でＩＲサービスを利用するためにユーザに副ＭＳＩＳＤＮおよび副ＩＭＳＩ番号を提供できるかどうかである。
【００７８】
前に説明したように、デフォルト・サービス・プロバイダは、彼らのユーザに副ＭＳＩＳＤＮおよび副ＩＭＳＩ番号を提供することの、他国の異なるサービス・プロバイダとの合意を有する場合がある。この合意に基づいて、デフォルト・サービス・プロバイダおよび副サービス・プロバイダは、お互いの使用に関するＭＳＩＳＤＮおよびＩＭＳＩ番号のプールを交換することができる。すなわち、合意に基づいて、副サービス・プロバイダは、その副サービス・プロバイダに関連するＭＳＩＳＤＮおよびＩＭＳＩ番号のプールをデフォルト・サービス・プロバイダに供給することができる。同様に、デフォルト・サービス・プロバイダも、そのデフォルト・サービス・プロバイダに関連するＭＳＩＳＤＮおよびＩＭＳＩ番号のプールを副サービス・プロバイダに供給することができる。
【００７９】
デフォルト・サービス・プロバイダが、異なる国に配置される可能性がある複数のサービス・プロバイダとの合意を有する可能性があることを了解されたい。さらに、デフォルト・サービス・プロバイダが、同一国内の複数のサービス・プロバイダとの合意を有する可能性もある。
【００８０】
一実施形態では、ネットワーク・エンティティ２０１の割振りモジュール２１２を、共有されるＭＳＩＳＤＮおよびＩＭＳＩ番号のプールから副ＭＳＩＳＤＮおよび関連するＩＭＳＩ番号をユーザに割り振るように構成することができる。デフォルト・サービス・プロバイダと共に使用可能な異なるサービス・プロバイダに対応する複数のプールの中から、割振りモジュール２１２が、要求内でユーザによって供給された詳細に基づいて特定のプールを判定できることを理解されたい。たとえば、デフォルト・サービス・プロバイダは、まず、ユーザが旅行している可能性がある国によってプールを選抜候補に入れることができ、その後、ユーザが要求したサービス・プロバイダのプールを選択することができる。さらに、デフォルト・サービス・プロバイダが、ユーザによって要求された国内のサービス・プロバイダとの合意を有しない場合には、割振りモジュール２１２は、失敗通知をユーザに送信することができる。
【００８１】
ユーザが、国と一緒にサービス・プロバイダのプリファレンスを全く指定しなかった場合には、割振りモジュール２１２は、サービス・プロバイダをランダムに選択し、選択されたサービス・プロバイダによって共有されるプールからＭＳＩＳＤＮおよびＩＭＳＩ番号を割り振ることができることを理解されたい。
【００８２】
別の実施形態では、割振りモジュール２１２は、選択されたサービス・プロバイダ（副サービス・プロバイダ）に対応する割り振られた副ＭＳＩＳＤＮのユーザを暗に知らせる。割り振られた副ＭＳＩＳＤＮに関連する副ＩＭＳＩ番号も割り振られるが、これは、ユーザには供給されないものとすることができる。割振りモジュール２１２は、副ＭＳＩＳＤＮおよび副ＩＭＳＩ番号の割振り時に、これを副サービス・プロバイダに暗に知らせることもできる。一実施態様では、割り振られた副ＭＳＩＳＤＮを、副サービス・プロバイダのＳ−ＭＳＣ／ＶＬＲ  １０６−２に供給することができる。さらに、割振りモジュール２１２は、割り振られた副ＭＳＩＳＤＮおよび副ＩＭＳＩ場号を、主ＭＳＩＳＤＮおよび主ＩＭＳＩ番号と一緒にＩＭＮ  １１２に送信することもできる。
【００８３】
ＩＭＮ  １１２の構成モジュール２０８を、ユーザの主ＭＳＩＳＤＮおよび主ＩＭＳＩ番号を割振りモジュール２１２によって供給された割り振られた副ＭＳＩＳＤＮおよび副ＩＭＳＩ番にマッピングするように構成することができる。一実施態様では、ＩＭＮ  １１２は、異なるＭＳＩＳＤＮおよびＩＭＳＩ番号をマッピングする前に、デフォルト・サービス・プロバイダと副サービス・プロバイダとの間の合意を検証することができる。
【００８４】
当業者は、通信デバイスが通信ネットワークのセルに入る時に、通信デバイスが、認証され、それがラッチされるＭＳＣ／ＶＬＲに位置更新メッセージを送信することを了解するはずである。認証および位置更新メッセージは、ＩＭＳＩ番号など、通信デバイスによって利用されるＳＩＭの詳細を含むことができる。さらに、位置更新メッセージは、他のパラメータは別として、ラッチされたＭＳＣ、ＶＬＲ、およびＢＴＳの詳細をも含む。さらに、そのような詳細は、位置更新メッセージ内のＩＭＳＩ番号に基づいて、通信デバイスのデフォルトＨＬＲに供給される。ユーザが、非ホーム・ネットワーク内でローミングしており、副サービス・プロバイダにラッチされつつある状況では、副サービス・プロバイダのＭＳＣ／ＶＬＲは、ＩＭＳＩ番号に基づいて、ユーザに関連するデフォルトＨＬＲの位置更新メッセージを供給することができる。
【００８５】
本主題の１つの実施態様では、Ｓ−ＭＳＣ／ＶＬＲ  １０６−２などの副サービス・プロバイダのＭＳＣ／ＶＬＲを、ＩＭＮ  １１２に認証メッセージを送信するように構成され得る。認証メッセージを、デフォルト・サービス・プロバイダへの加入に基づいて、ユーザを認証するために送信することができる。前記実施態様では、要求処理モジュール２０６−２は、認証メッセージを受信し、Ｄ−ＨＬＲ  １０８−１など、ユーザのデフォルトＨＬＲに転送することができる。前記実施態様では、認証時に、Ｄ−ＨＬＲ  １０８−１は、ＩＭＮ  １１２への成功の認証の確認を送信することができ、ここで、確認を、要求処理モジュール２０６−２による要求によってＳ−ＭＳＣ／ＶＬＲ  １０６−２に転送することができる。
【００８６】
もう１つの実施態様では、Ｓ−ＭＳＣ／ＶＬＲ  １０６−２などの副サービス・プロバイダのＭＳＣ／ＶＬＲをユーザのデフォルトＨＬＲ  １０８−１ではなくＩＭＮ  １１２に、ＩＲを利用しているユーザの位置更新メッセージを提供するように構成することができる。言い替えると、ユーザの主ＩＭＳＩに基づいて、Ｓ−ＭＳＣ／ＶＬＲ  １０６−２は、デフォルト・サービス・プロバイダのＤ−ＨＬＲ  １０８−１などのデフォルトＨＬＲではなく、ＩＭＮ  １１２にユーザの位置更新メッセージを送信することができる。前記実施態様では、Ｓ−ＭＳＣ／ＶＬＲ  １０６−２の要求処理モジュール２０６−２は、セル内の異なるユーザから位置更新メッセージを受信する可能性がある。さらに、分析モジュール２１０は、割振りモジュール２１２から受信したマッピングされたＭＳＩＳＤＮおよびＩＭＳＩ番号に基づいて、ユーザからであるべき位置更新メッセージを識別することができる。同様に、分析モジュール２１０は、ＭＳＩＳＤＮおよびＩＭＳＩ番号のマッピングに基づいて、ユーザのデフォルトＨＬＲに位置更新メッセージを送信することもできる。これは、ＭＳＣ／ＶＬＲ  １０６−２にラッチされたユーザが、そのホーム・ネットワーク内にある、すなわち、副サービス・プロバイダの加入者であるか、ユーザが、ＩＲを利用しており、副ＭＳＩＳＤＮおよび副ＩＭＳＩ番号を割り振られていないかのいずれかの状況で発生し得る。
【００８７】
前に説明したように、割り振られた副ＭＳＩＳＤＮおよび副ＩＭＳＩ番号を有するユーザに関して、位置更新メッセージは、要求処理モジュール２０６−２によってＩＭＮ  １１２に転送される。一実施態様では、ＩＭＮ  １１２の構成モジュール２０８は、受信されたオリジナルの位置更新メッセージに基づいてダミー位置更新メッセージを作成するように構成される。構成モジュール２０８は、前記実施態様では、ダミー位置更新メッセージが副ＩＭＳＩ番号からなるＳＩＭを用いてコマンド・デバイスから生成されたように見える形でダミー位置更新メッセージを構成することができる。このために、構成モジュール２０８を、ダミー・ルックアップ更新メッセージを生成するためにオリジナル位置更新メッセージの詳細をコピーするように構成することができる。
【００８８】
もう１つの実施態様では、構成モジュール２０８は、ダミー位置更新メッセージ内の主ＩＭＳＩ番号の代わりに、副ＩＭＳＩ番号を置換することができる。さらに、構成更新メッセージは、ＭＳＣアドレスおよびＶＬＲアドレスの代わりのＩＭＮ  １１２のアドレスを置換することもできる。構成モジュール２０８によって実行された置換の後に、ＩＭＮ  １１２は、オリジナルの位置更新メッセージおよびダミー位置更新メッセージという２つの位置更新メッセージを含む。
【００８９】
ＩＭＮ  １１２の構成モジュール２０８は、オリジナルの位置更新メッセージを、デフォルト・サービス・プロバイダによって実施されるユーザのデフォルトＨＬＲに送信することができる。さらに、構成モジュール２０８は、Ｓ−ＨＬＲ  １０８−２など、副サービス・プロバイダのＨＬＲにダミー位置更新メッセージを送信することができる。言い替えると、構成モジュール２０８は、２つの異なる位置更新メッセージを、１つはユーザに関連するデフォルトＨＬＲに、もう１つは副サービス・プロバイダの副ＨＬＲに送信することができる。
【００９０】
もう１つの実施態様では、要求処理モジュール２０６−１を、送信された位置更新メッセージの応答を処理するように構成することもできる。位置更新メッセージがＩＭＮ  １１２によって送信されたので、応答が、ＩＭＮ  １１２によって受信されるはずであることを理解されたい。前記実施態様では、デフォルトＨＬＲ  １０８−１および副サービス・プロバイダのＨＬＲ  １０８−２によって送信された応答を、ＩＭＮ  １１２によってインターセプトすることができる。要求処理モジュール２０６−１は、デフォルト・サービス・プロバイダからの応答をインターセプトすることができ、Ｓ−ＭＳＣ／ＶＬＲ  １０６−２など、ユーザがラッチされているＭＳＣ／ＶＬＲにこれを転送しないものとすることができる。そのようなシナリオでは、Ｄ−ＨＬＲ  １０８−１に送信された位置更新メッセージに関する応答の肯定応答および他のメッセージを、ＩＭＮ  １１２とデフォルト・サービス・プロバイダのエンティティとの間で交換することができる。
【００９１】
さらに、要求処理モジュール２０６−１は、副ＨＬＲからの応答を、Ｓ−ＭＳＣ／ＶＬＲ  １０６−２など、ユーザがラッチされているＭＳＣ／ＶＬＲに転送することができる。たとえば、副ＨＬＲは、ユーザに割り振られた副ＩＭＳＩ番号および副ＭＳＩＳＤＮを含むＩＳＤメッセージを送信することができる。要求処理モジュール２０６−１は、このＩＳＤメッセージをＳ−ＭＳＣ／ＶＬＲ  １０８−２に供給して、ユーザの副プロファイルを用いてＳ−ＭＳＣ／ＶＬＲを更新することを可能にすることができる。Ｓ−ＭＳＣ／ＶＬＲ  １０８−２を用いるユーザの副プロファイルの更新は、副ＭＳＩＳＤＮなどのユーザの副プロファイルとのユーザの主ＩＭＳＩ番号のマッピングを可能にすることができる。そのようなシナリオでは、ＩＭＮ  １１２は、Ｓ−ＭＳＣ／ＶＬＲ  １０８−２と副ＨＬＲとの間のブリッジとして働いて、ユーザ副プロファイルの更新のための２つのエンティティの間の通信およびＳ−ＭＳＣ／ＶＬＲ  １０８−２での副ＭＳＩＳＤＮとのユーザの主ＩＭＳＩ番号のマッピングを容易にすることができる。
【００９２】
一実施態様では、ＭＯ呼およびＭＯショート・メッセージ・サービス（ＳＭＳ）など、ローミング国内でユーザによって利用される通信サービスは、Ｓ−ＭＳＣ／ＶＬＲ  １０８−２など、ユーザがラッチされているＭＳＣ／ＶＬＲによって受信されるはずである。そのようなシナリオでは、Ｓ−ＭＳＣ／ＶＬＲ  １０８−２の要求処理モジュール２０６−２は、やはりユーザに関連する主ＩＭＳＩ番号に基づいて、ユーザの通信サービス要求を開始することができる。これは、ユーザが、ローミングしている間にローカル料金で通信サービスを利用することを可能にすることができる。さらに、ユーザによって要求された通信サービスを、当技術分野で既知の技法に基づいて、副サービス・プロバイダによって提供することができ、ここで、ユーザは、Ｈｏｍｅ  Ｐｕｂｌｉｃ  Ｌａｎｄ  Ｍｏｂｉｌｅ  Ｎｅｔｗｏｒｋ（ＨＰＬＭＮ）内にあると考えられる。
【００９３】
ローミング国内で通信サービスを利用している間に、ユーザは、呼およびＳＭＳを受信することができる。一般に、そのような呼およびＳＭＳを、ＭＴ呼およびＭＴ  ＳＭＳと称する。ユーザは、２つのＭＳＩＳＤＮを利用しているはずなので、任意のそのようなＭＴ呼およびＭＴ  ＳＭＳを、ＭＳＩＳＤＮのいずれかで終端するものとすることができる。主ＭＳＩＳＤＮでのＭＴ呼およびＭＴ  ＳＭＳは、デフォルトＨＬＲが、Ｓ−ＭＳＣ／ＶＬＲ  １０６−２などのサービングＭＳＣ／ＶＬＲと一緒にユーザの現在位置を保持するので、デフォルト・サービス・プロバイダを介してユーザに直接にルーティングされ得る。
【００９４】
しかし、副ＭＳＩＳＤＮでのユーザに関するＭＴ呼およびＭＴ  ＳＭＳがある場合には、ユーザは、直接には連絡されない場合がある。というのは、ユーザならびに彼の副ＭＳＩＳＤＮおよび副ＩＭＳＩ番号に関連するＳ−ＨＬＲ  １０８−２が、ユーザがラッチされている実際のＳ−ＭＳＣ／ＶＬＲ  １０６−２の詳細を含まないからである。そうではなく、Ｓ−ＨＬＲ  １０８−２は、ＩＭＮ  １１２のアドレスを含む。したがって、本主題の一実施態様では、副ＭＳＩＳＤＮでのユーザに関するすべてのＭＴ呼およびＭＴ  ＳＭＳを、ユーザに関連する副ＨＬＲによってＩＭＮ  １１２に転送することができる。当業者は、任意のユーザへのＭＴ呼／ＳＭＳが、ユーザのＭＳＩＳＤＮが属するサービス・プロバイダのゲートウェイによって接続されることを了解するはずである。この手順は、当技術分野で周知なので、その詳細は、簡潔さのために省略されている。
【００９５】
本主題のもう１つの実施態様では、ＩＭＮ  １１２は、ＭＴ呼／ＳＭＳパラメータを変更し、Ｓ−ＭＳＣ／ＶＬＲ  １０６−２など、ユーザがラッチされているＭＳＣ／ＶＬＲに要求を転送することができる。前記実施態様では、構成モジュール２０８を、ＭＴ呼／ＳＭＳのＩＭＳＩ番号を変更するように構成することができる。ＭＴ呼／ＳＭＳは、副ＭＳＩＳＤＮ上のユーザに関するので、ＩＭＮ  １１２によって受信される要求は、副ＭＳＩＳＤＮに関連する副ＩＭＳＩ番号を含むはずである。構成モジュール２０８は、副ＩＭＳＩ番号に関連する主ＩＭＳＩ番号を識別し、副ＩＭＳＩ番号を識別された主ＩＭＳＩ番号に置換して、変更されたＭＴ呼／ＳＭＳ要求を生成することができる。
【００９６】
さらに、ＩＭＮ  １１２の要求処理モジュール２０６−１は、Ｓ−ＭＳＣ／ＶＬＲ  １０６−２など、ユーザがラッチされているＭＳＣ／ＶＬＲに、変更されたＭＴ呼／ＳＭＳ要求を転送することができる。要求は、主ＩＭＳＩ番号を含むことができるので、Ｓ−ＭＳＣ／ＶＬＲ  １０６−２は、主ＩＭＳＩ番号を組み込まれたＳＩＭを利用するユーザの通信デバイスとの接続を直接に確立することができる。もう１つの実施態様では、ユーザの副ＨＬＲからのＭＴ呼／ＳＭＳ要求が変更される形、ＩＭＮ  １１２の構成モジュール２０８は、同一の形でＳ−ＭＳＣ／ＶＬＲ  １０６−２から受信した応答を変更することもできる。そのようなシナリオで、変更を、副ＩＭＳＩ番号によって主ＩＭＳＩ番号を変更することによって実行できることを了解されたい。
【００９７】
ユーザとの接続を確立するシグナリング手順中に、用いられる異なるエンティティは、従来技術で既知の形と同一の形でＣＡＭＥＬコール・フローに従うことができる。したがって、その詳細は、簡潔さのために省略されている。
【００９８】
本主題のもう１つの実施態様では、ローミング国内で通信サービスを利用するユーザは、Ｇｌｏｂａｌ  Ｐａｃｋｅｔ  Ｒａｄｉｏ  Ｓｅｒｖｉｃｅ（ＧＰＲＳ）を利用することもできる。ユーザは、副ＭＳＩＳＤＮを利用して、ローカル料金でローミング国内でＧＰＲＳによって提供される通信サービスを利用することができる。前記実施態様では、ＩＭＮ  １１２は、２つのＭＳＩＳＤＮおよび２つのＩＭＳＩ番号を有するユーザのモバイル接続性を容易にするために、ＩＭＳＩ番号マッピング・ノードとして働くことができる。当業者によって理解されるように、ＧＰＲＳ位置更新メッセージが、前に説明した位置更新メッセージに似て、ユーザにサービスするＳｅｒｖｉｎｇ  ＧＰＲＳ  Ｓｕｐｐｏｒｔ  Ｎｏｄｅ（ＳＧＳＮ）の番号およびアドレスを用いてユーザのＤ−ＨＬＲ  １０８−１を更新するのに利用される。
【００９９】
一実施態様では、位置更新メッセージの変更に似て、ＩＭＮ  １１２は、ＧＰＲＳ位置更新メッセージを変更することもできる。構成モジュール２０８は、主ＩＭＳＩ番号を副ＩＭＳＩ番号に置換することによって、ダミーＧＰＲＳ位置更新メッセージを生成することができる。さらに、構成モジュール１０８は、ダミーＧＰＲＳ位置更新メッセージ内のＳＧＳＮの番号およびアドレスを、ＩＭＮ  １１２のアドレスに置換することもできる。前に説明した位置更新メッセージの手順に似て、要求処理モジュール２０８は、最初に受信されたＧＰＲＳ位置更新メッセージをユーザのＤ−ＨＬＲ  １０８−１に送信することができる。さらに、要求処理モジュール２０６−１は、ダミーＧＰＲＳ位置更新メッセージをＳ−ＨＬＲ  １０８−２に送信することができる。
【０１００】
異なるＧＰＲＳ位置更新メッセージを異なるＨＬＲに送信する時に、ＧＰＲＳに基づく通信サービスを、ＭＯ／ＭＴ呼およびＭＯ／ＭＴ  ＳＭＳに関して説明したものに似た形でユーザに提供することができる。ＩＭＮ  １１２は、主ＩＭＳＩおよび副ＩＭＳＩをマッピングして、ユーザに、主ＭＳＩＳＤＮと副ＭＳＩＳＤＮとの両方に、モバイル接続性を提供する。
【０１０１】
主ＩＭＳＩ番号および主ＭＳＩＳＤＮと副ＩＭＳＩ番号および副ＭＳＩＳＤＮとの間のマッピングに基づいて、ＩＭＮ  １１２は、ＵＳＳＤインターフェースを介して走行するアプリケーションおよびＧＰＲＳアプリケーションなど、複数の異なるアプリケーションを実施することができる。ＩＭＮ  １１２は、提供されるＵＳＳＤアプリケーションをサポートするために、ユーザのＤ−ＨＬＲ  １０８−１またはユーザのＳ−ＨＬＲ  １０８−２のいずれかに連絡するように構成され得る。さらに、ＩＭＮ  １１２は、自動転送、通話中着信、および通話制限など、補足サービスをサポートすることもできる。
【０１０２】
図３（ａ）、３（ｂ）、および３（ｃ）に、本主題の実施形態による、ローミングしている間にユーザにモバイル接続性を提供する手順を示すコールフロー図を示す。コールフロー図内で使用されるさまざまな矢印インジケータは、Ｓ−ＭＳＣ／ＶＬＲ  １０６−２、ＩＭＮ  １１２、Ｄ−ＨＬＲ  １０８−１、およびＳ−ＨＬＲ  １０８−２の間の情報の転送を示す。多くの場合に、送信する局および交換する局を含めて、図示されたもの以外の複数のネットワーク・エンティティがエンティティの間に存在する可能性があるが、それらは、明瞭さのために省略されている。同様に、さまざまな肯定応答および確認のネットワーク応答も、明瞭さのために省略されている。
【０１０３】
図２に示されたＳ−ＭＳＣ／ＶＬＲ  １０６−２、ＩＭＮ  １１２、およびネットワーク・エンティティ２０１の異なるコンポーネントが、図３（ａ）、３（ｂ）、および３（ｃ）に表されたコール・フローを参照して説明されたが、Ｓ−ＭＳＣ／ＶＬＲ  １０６−２、ＩＭＮ  １１２、およびネットワーク・エンティティ２０１を、本主題の範囲および趣旨から逸脱せずに異なる形で実施できることを理解されたい。図３（ａ）、３（ｂ）、および３（ｃ）の説明は、図２に示されたエンティティを参照するが、通信ネットワークの複数の他のエンティティも、図３（ａ）、３（ｂ）、および３（ｃ）を参照して説明され、当業者によって了解されるはずである。また、図３（ａ）、３（ｂ）、および３（ｃ）の説明は、ＧＳＭネットワークに関して提供されたが、サービス・プロバイダの動的な切替を、他のネットワークのために、たとえばＣＤＭＡネットワークのために実施することもできることを理解されたい。
【０１０４】
図３（ａ）は、本主題の実施態様による、ローミングしている間にユーザにモバイル接続性を提供する位置更新手順のコール・フローを表す。一実施態様では、位置更新手順のコール・フローは、Ｓ−ＭＳＣ／ＶＬＲ  １０６−２、ＩＭＮ  １１２、Ｄ−ＨＬＲ  １０８−１、およびＳ−ＨＬＲ  １０８−２を参照して説明された。前記実施態様では、ＩＲを利用し、通信ネットワークにラッチされたユーザを識別した時に、Ｓ−ＭＳＣ／ＶＬＲ  １０６−２は、位置更新手順を開始することができる。ステップ３００では、Ｓ−ＭＳＣ／ＶＬＲ  １０６−２は、ＬＵ＿Ｉ（ＩＭＳＩ＿Ｐ）ＴＣ−ＢＥＧメッセージをＩＭＮ  １１２に送信することができる。前に説明したように、Ｓ−ＭＳＣ／ＶＬＲ  １０６−２は、位置更新メッセージがＩＭＳＩ番号に関連するデフォルトＨＬＲの代わりにＩＭＮ  １１２に送信されるすべてのＩＭＳＩ番号を含むことができる。一実施態様では、そのようなＩＭＳＩ番号を、ユーザに副ＭＳＩＳＤＮおよび副ＩＭＳＩ番号を割り振った異なるサービス・プロバイダによってＳ−ＭＳＣ／ＶＬＲ  １０６−２に供給することができる。ステップ３００で送信された位置更新メッセージは、ユーザの主ＩＭＳＩ番号すなわちＩＭＳＩ＿Ｐを含むことができる。
【０１０５】
前に説明したように、本主題の一実施態様では、ＩＭＮ  １１２は、ステップ３００で受信される位置更新メッセージに似たダミー位置更新メッセージを生成することができる。前記実施態様では、ＬＵ＿Ｐ＿Ｉ（ＩＭＳＩ＿Ｐ）ＴＣ−ＢＥＧメッセージすなわち、ＩＭＮ  １１２によって受信されるオリジナルの位置更新メッセージを、ステップ３０２で、Ｄ−ＨＬＲ  １０８−１などのユーザのデフォルトＨＬＲに送信することができる。同様に、ステップ３０４では、ＬＵ＿Ｓ＿Ｉ（ＩＭＳＩ＿Ｓ）ＴＣ−ＢＥＧすなわち、ダミー位置更新メッセージを、ＩＭＮ  １１２によってＳ−ＨＬＲ  １０８−２などの副ＨＬＲに送信することができる。ステップ３０４で送信されるダミー位置更新メッセージは、主ＩＭＳＩ番号の代わりに副ＩＭＳＩ番号ＩＭＳＩ＿Ｓを含むことができる。さらに、ダミー位置更新メッセージは、Ｓ−ＭＳＣ／ＶＬＲ  １０６−２のアドレスではなくサービングＭＳＣおよびＶＬＲとしてＩＭＮ  １１２のアドレスを含むこともできる。
【０１０６】
ステップ３０６では、Ｄ−ＨＬＲ  １０８−１が、ＩＳＤ＿Ｐ＿ＩＴＣ−ＣＯＮメッセージすなわち、ユーザのプロファイルに対応する開始ＩＳＤメッセージをＩＭＮ  １１２に送信することもできる。さらに、ＩＭＮ  １１２は、ステップ３０８でのＩＳＤメッセージに対する応答として、ＩＳＤ＿Ｐ＿ＲＴＣ−ＣＯＮメッセージをＤ−ＨＬＲ  １０８−１に送信することができる。ＩＭＮ  １１２とＤ−ＨＬＲ  １０８−１との間のメッセージの交換が、主ＩＭＳＩ番号ＩＭＳＩ＿Ｐに基づくことを了解されたい。ＩＭＮ  １１２とＤ−ＨＬＲ  １０８−１との間でのＩＳＤメッセージの交換の時に、Ｄ−ＨＬＲ  １０８−１は、ステップ３１０での位置更新手順の完了を確認するＥＮＤメッセージとして、ＬＵ＿Ｐ＿ＲＴＣ−ＥＮＤをＩＭＮ  １１２に送信することができる。
【０１０７】
もう１つの実施態様では、ステップ３１２で、Ｓ−ＨＬＲ  １０８−２が、ステップ３０４で受信されたダミー位置更新メッセージに応答するＩＳＤメッセージとしてＩＳＤ＿Ｓ＿ＴＣ−ＣＯＮを送信することもできる。Ｄ−ＨＬＲ  １０８−２とＩＭＮ  １１２との間のＩＳＤメッセージの交換を、ユーザに割り振られた副ＩＭＳＩ番号（ＩＭＳＩ＿Ｓ）に基づくものとすることができる。Ｓ−ＨＬＲ  １０８−２との間のＩＳＤメッセージの交換のために、ＩＭＮ  １１２は、ファシリテータ（ｆａｃｉｌｉｔａｔｏｒ）として働くことができ、ここで、Ｓ−ＨＬＲ  １０８−２によって送信されたＩＳＤメッセージは、ＩＭＮ  １１２によってＳ−ＭＳＣ／ＶＬＲ  １０６−２に転送され、逆も同様である。したがって、ＩＭＮ  １１２は、ステップ３１４で、Ｓ−ＨＬＲ  １０８−２から受信したＩＳＤメッセージをＳ−ＭＳＣ／ＶＬＲ  １０６−２に転送することができる。同様に、ステップ３１６に送信されたＳ−ＭＳＣ／ＶＬＲ  １０６−２の応答を、ステップ３１８でＳ−ＨＬＲ  １０８−２に転送することができる。最後に、ＩＭＮは、ステップ３２０にＳ−ＨＬＲ  １０８−２によって送信された位置更新完了メッセージを、ステップ３２２でＳ−ＭＳＣ／ＶＬＲ  １０６−２に転送することもできる。
【０１０８】
図３（ｂ）は、本主題の実施態様による、ユーザがローミングしている間の副ＭＳＩＳＤＮ上でのユーザに関するＭＴ呼のコール・フローを表す。一実施態様では、位置更新手順のコール・フローが、以下でＳ−Ｇ−ＭＳＣと称する副サービス・プロバイダのＧａｔｅｗａｙ  ＭＳＣ（Ｇ−ＭＳＣ）、ＩＭＮ  １１２、Ｓ−ＨＬＲ  １０８−２、およびＳ−ＭＳＣ／ＶＬＲ  １０６−２を参照して説明された。
【０１０９】
一実施態様では、副サービス・プロバイダを介してローミング国内で通信サービスを利用するユーザは、彼に割り振られた副ＭＳＩＳＤＮ上でＭＴ呼を受信することができる。副ＭＳＩＳＤＮが、副サービス・プロバイダに関連するので、ＭＴ呼が、Ｓ−Ｇ−ＭＳＣなどの副サービス・プロバイダのｇａｔｅｗａｙ  ＭＳＣに向けられるはずであることを理解されたい。前記実施態様では、ユーザに関するＭＴ呼要求は、ステップ３３０でＳ−Ｇ−ＭＳＣによって受信される。ＭＴ呼要求は、Ｉｎｉｔｉａｌ  Ａｄｄｒｅｓｓ  Ｍｅｓｓａｇｅ（ＩＡＭ）の要求ＩＡＭ（ＭＳＩＳＤＮ＿Ｓ）によって示されるように、ユーザに関連する副ＭＳＩＳＤＮ（ＭＳＩＳＤＮ＿Ｓ）を含むことができる。ＩＡＭ要求を受信した時に、Ｓ−Ｇ−ＭＳＣは、ＳＲＩ＿Ｓ要求の形で、副ＭＳＩＳＤＮに関連するＳ−ＨＬＲ  １０８−２などのＳ−ＨＬＲ  １０８−２に関するＭＡＰメッセージを生成することができる。ステップ３３２で、ＳＲＩ＿Ｓ（ＭＳＩＳＤＮ＿Ｓ）ＴＣ−ＢＥＧを、Ｓ−ＨＬＲ  １０８−２によって受信することができる。
【０１１０】
前に説明したように、副サービス・プロバイダのＳ−ＨＬＲ  １０８−２は、ダミー位置更新メッセージを送信され、したがって、Ｓ−ＨＬＲ  １０８−２は、ユーザがラッチされているＳ−ＭＳＣ／ＶＬＲ  １０６−２ではなくＩＭＮ  １１２のアドレスを保持する。したがって、Ｓ−ＨＬＲ  １０８−２は、ＰＲＮ＿Ｓの形のＭＡＰメッセージをＩＭＮ  １１２に送信することができる。さらに、ＩＭＮ  １１２は、ＭＡＰメッセージ内に、ユーザの副ＭＳＩＳＤＮに関連する副ＩＭＳＩ番号を含めることができる。したがって、ステップ３３４で、ＰＲＮ＿Ｓ（ＩＭＳＩ＿Ｓ）ＴＣ−ＢＥＧ  ＭＡＰメッセージをＩＭＮ  １１２に送信することができる。
【０１１１】
一実施態様では、ＩＭＮ  １１２は、ユーザがラッチされているＭＳＣ／ＶＬＲに要求を転送する前に、ＭＡＰメッセージ内の副ＩＭＳＩ番号を主ＩＭＳＩ番号にマッピングすることができる。ステップ３３６で、ＩＭＮは、ＭＡＰメッセージＰＲＮ＿Ｐ（ＩＭＳＩ＿Ｐ）ＴＣ−ＢＥＧをＳ−ＭＳＣ／ＶＬＲ  １０６−２に送信することができる。前記実施態様では、ＭＡＰメッセージＰＲＮ＿Ｐ（ＩＭＳＩ＿Ｐ）ＴＣ−ＢＥＧは、Ｓ−ＭＳＣ／ＶＬＲ  １０６−２がそれに基づいてユーザの通信デバイス１０２との接続を確立できる主ＩＭＳＩ番号を含むはずである。当業者は、ユーザが主ＩＭＳＩ番号を含むＳＩＭを利用しているので、ＩＭＮ  １１２による主ＩＭＳＩ番号への副ＩＭＳＩ番号のマッピングが行われることを理解するはずである。したがって、Ｓ−ＭＳＣ／ＶＬＲ  １０６−２がユーザとの接続を確立するために、要求が、ユーザの主ＩＭＳＩ番号に基づいて通信される。
【０１１２】
Ｓ−ＭＳＣ／ＶＬＲ  １０６−２は、ステップ３３６で受信されたＰＲＮ要求に対する応答を送信することができる。一実施態様では、応答は、ステップ３３８でＳ−ＭＳＣ／ＶＬＲ  １０６−２によって送信されるフォーマットＰＲＮ＿Ｐ＿Ｒ（ＭＳＲＮ＿Ｓ）ＴＣ−ＥＮＤの動的に生成されたＭｏｂｉｌｅ  Ｓｔａｔｉｏｎ  Ｒｏａｍｉｎｇ  Ｎｕｍｂｅｒ（ＭＳＲＮ）を含むことができる。ＩＭＮ  １１２は、ステップ３４０で、将来の使用のためにＭＳＲＮを保存する時に、応答をＳ−ＨＬＲ  １０８−２に転送することができる。Ｓ−ＨＬＲ  １０８−２は、やはり将来の使用のためにＭＳＲＮを保存し、ステップ３４２で応答をＳ−Ｇ−ＭＳＣに転送することができる。さらに、Ｓ−Ｇ−ＭＳＣは、やはりＭＳＲＮを保存し、これを、ステップ３４４で、ＩＡＭ（被呼ＭＳＲＮ）などのＩＡＭ応答と一緒にＭＳＲＮと共に被呼当事者に送信することができる。上で説明した手順の完了時に、ユーザのＭＴ呼を、ユーザに直接にルーティングすることができる。
【０１１３】
図３（ｃ）は、本主題の実施態様による、ユーザがローミングしている間の副ＭＳＩＳＤＮ上でのユーザに関するＭＴ  ＳＭＳのコール・フローを表す。一実施態様では、位置更新手順のコール・フローは、以下でＯ−ＳＭＳＣと称する、ＳＭＳ開始当事者のために働くサービス・プロバイダのＳｈｏｒｔ  Ｍｅｓｓａｇｅ  Ｓｅｒｖｉｃｅ  Ｃｅｎｔｅｒ（ＳＭＳＣ）、ＩＭＮ  １１２、Ｓ−ＨＬＲ  １０８−２、およびＳ−ＭＳＣ／ＶＬＲ  １０６−２を参照して説明された。
【０１１４】
本主題の一実施態様では、ユーザの副ＭＳＩＳＤＮ上でＳＭＳを終了する試みがある時に、開始する当事者のＯ−ＳＭＳＣは、Ｓ−ＨＬＲ  １０８−２など、ユーザの副ＭＳＩＳＤＮに関連するＨＬＲに連絡することができる。ステップ３６０で、Ｏ−ＳＭＳＣは、ＳＲＩＳＭ＿Ｓ（ＭＳＩＳＤＮ＿Ｓ）ＴＣ−ＢＥＧメッセージをＳ−ＨＬＲ  １０８−２に送信することができる。ステップ３６０でＯ−ＳＭＳＣからそのようなメッセージを受信する時に、Ｓ−ＨＬＲ  １０８−２は、副ＭＳＩＳＤＮに関連する副ＩＭＳＩ番号およびユーザがラッチされているＭＳＣ／ＶＬＲのアドレスをＯ−ＳＭＳＣに送信することができる。位置更新手順中に、Ｓ−ＨＬＲ  １０８−２が、ダミー位置更新メッセージを受信するので、ユーザがラッチされているＭＳＣ／ＶＬＲのアドレスは、ＩＭＮ  １１２のアドレスである。したがって、Ｓ−ＨＬＲ  １０８−２は、ステップ３６２で、ユーザの副ＩＭＳＩ番号およびＭＳＣ＿ＳアドレスとしてＩＭＮ  １１２のアドレスを含むことができる、ＳＲＩＳＭ＿Ｓ＿Ｒ（ＭＳＣ＿Ｓ，ＩＭＳＩ＿Ｓ）ＴＣ−ＥＮＤ応答をＯ−ＳＭＳＣに送信することができる。
【０１１５】
ステップ３６２で受信された応答に基づいて、Ｏ−ＳＭＳＣは、ＭＳＣ／ＶＬＲアドレスおよびＩＭＳＩ番号を保存することができる。これらの詳細は、受信されたアドレスすなわちＩＭＮ  １１２に送信されるＦＷＳＭメッセージの「ＳＭ  ＲＰ  ＤＡ」パラメータ内でＯ−ＳＭＳＣによって利用され得る。ステップ３６４では、Ｏ−ＳＭＳＣが、ＦＷＳＭ＿Ｓ（ＩＭＳＩ＿Ｓ）ＴＣ−ＢＥＧメッセージをＩＭＮ  １１２に送信することができる。ＩＭＮ  １１２は、副ＩＭＳＩ番号と一緒にユーザに関するそのようなメッセージを受信することができ、受信された副ＩＭＳＩ番号を対応する関連する主ＩＭＳＩ番号にマッピングすることができる。受信された副ＩＭＳＩ番号に対応する主ＩＭＳＩ番号の識別時に、ＩＭＮ  １１２は、ユーザがラッチされているＳ−ＭＳＣ／ＶＬＲ  １０６−２に、ＦＷＳＭ＿Ｐ（ＩＭＳＩ＿Ｐ）ＴＣ−ＢＥＧメッセージを送信することができる。このメッセージは、要求のＩＭＳＩ＿Ｐパラメータによって示されるように、ユーザに関連する主ＩＭＳＩ番号を含むことができる。
【０１１６】
ステップ３６８では、Ｓ−ＭＳＣ／ＶＬＲ  １０６−２は、ＦＷＳＭ＿Ｐ＿Ｒ  ＴＣ−ＥＮＤの形で、ステップ３６６で受信されたメッセージに対する応答を送信することができる。ＩＭＮ  １１２は、副ＩＭＳＩ番号および副ＭＳＩＳＤＮ詳細に応答して主ＩＭＳＩ番号および主ＭＳＩＳＤＮに関連するパラメータを置換し、ステップ３７０で、ＦＷＳＭ＿Ｓ＿Ｒ  ＴＣ−ＥＮＤの形で応答をＯ−ＳＭＳＣに転送することができる。
【０１１７】
主ＩＭＳＩ番号および副ＩＭＳＩ番号と、主ＭＳＩＳＤＮおよび副ＭＳＩＳＤＮとを利用するユーザが、副ＭＳＩＳＤＮ上でＳＧＳＮを介してＭＴ−ＳＭＳを受信することが、発生する可能性がある。そのような状況では、本主題の実施態様によれば、従われる手順は、図３（ｃ）で説明されたコール・フローに類似するものとすることができ、ここで、Ｓ−ＭＳＣ／ＶＬＲ  １０６−２ではなく、ＩＭＮが、ユーザに関連するＳＧＳＮに連絡することができる。当業者は、ステップ３６６および３６８で、用いられるエンティティが、ＩＭＮ  １１２およびＳ−ＭＳＣ／ＶＬＲ  １０６−２ではなく、ＩＭＮ  １１２およびＳＧＳＮである可能性があることを了解するはずである。コール・フローの残りは、同一のままである可能性があるので、その詳細は、簡潔さのために省略されている。
【０１１８】
図４（ａ）、４（ｂ）、および４（ｃ）に、本主題の実施形態による、ローミング時にユーザに通信ネットワーク内のモバイル接続性を提供する方法４００、４４０、および４８０を示す。方法が説明される順序は、限定として解釈されることを意図されたものではなく、任意の個数の説明される方法ブロックを、任意の順序で組み合わせて、方法４００、４４０、および４８０または代替の方法を実施することができる。さらに、個々のブロックを、本明細書で説明される主題の趣旨および範囲から逸脱せずに、方法から削除することができる。さらに、方法を、任意の適切なハードウェア、ソフトウェア、ファームウェア、またはその組合せで実施することができる。
【０１１９】
方法（１つまたは複数）を、完全にまたは部分的に、コンピュータ実行可能命令の全般的な文脈で説明することができる。一般に、コンピュータ実行可能命令は、特定の機能を実行するか特定の抽象データ型を実施するルーチン、プログラム、オブジェクト、コンポーネント、データ構造、手続き、モジュール、関数などを含む。この方法を、機能が通信ネットワークを介してリンクされたリモート処理デバイスによって実行される分散コンピューティング環境で実践することもできる。分散コンピューティング環境では、コンピュータ実行可能命令を、メモリ・ストレージ・デバイスを含む、ローカルとリモートとの両方のコンピュータ記憶媒体内に配置することができる。
【０１２０】
当業者は、この方法のステップを、プログラムされたコンピュータによって実行できることをたやすく了解する。本明細書では、いくつかの実施形態は、プログラム記憶デバイス、たとえば、機械可読またはコンピュータ可読であり、命令の機械実行可能またはコンピュータ実行可能なプログラムを符号化するディジタル・データ記憶媒体を含むことも意図され、前記命令は、説明される方法のステップの一部またはすべてを実行する。プログラム記憶デバイスは、たとえば、ディジタル・メモリ、磁気ディスクまたは磁気テープなどの磁気記憶媒体、または光学的に可読のディジタル・データ記憶媒体とすることができる。実施形態は、例示的な方法の前記ステップを実行するように構成された通信ネットワークと通信デバイスとの両方を包含することも意図されている。
【０１２１】
図４（ａ）を参照すると、方法４００を、ネットワーク・エンティティ２０１などのデフォルト・サービス・プロバイダのエンティティによって実施することができる。ブロック４０２では、ユーザからの国際ローミング（ＩＲ）要求を受信することができ、ここで、要求は、少なくともローミング国および好ましいサービス・プロバイダを含む。本主題の一実施態様では、要求を送信するユーザは、所望のローミング国内で複数の好ましいサービス・プロバイダを指定することができる。さらに、ネットワーク・エンティティ２０１は、ＵＳＳＤ要求およびＩＶＲシステムを介するなど、異なるモードを介してそのような要求を受信することができる。
【０１２２】
ブロック４０４では、ＩＲの要求を、ローミング国内で副サービス・プロバイダを識別するために、サービス・プロバイダ合意に基づいて認証することができる。一実施態様では、ユーザは、複数の好ましいサービス・プロバイダを指定した可能性がある。そのようなシナリオでは、合意が存在するサービス・プロバイダは、ローミング国内のユーザに関する副プロバイダとして選択され得る。さらに、複数のサービス・プロバイダの間で合意が存在する場合に、任意のサービス・プロバイダを、ランダムに選択することができる。
【０１２３】
ブロック４０６では、副Ｍｏｂｉｌｅ  Ｓｔａｔｉｏｎ  Ｉｎｔｅｒｎａｔｉｏｎａｌ  Ｓｕｂｓｃｒｉｂｅｒ  Ｄｉｒｅｃｔｏｒｙ  Ｎｕｍｂｅｒ（ＭＳＩＳＤＮ）および副Ｉｎｔｅｒｎａｔｉｏｎａｌ  Ｍｏｂｉｌｅ  Ｓｕｂｓｃｒｉｂｅｒ  Ｉｄｅｎｔｉｔｙ（ＩＭＳＩ）番号を、副サービス・プロバイダによって共有されるＭＳＩＳＤＮおよびＩＭＳＩのプールからユーザに割り振ることができる。一実施形態では、ＩＲを提供することの合意を有するサービス・プロバイダが、お互いとＭＳＩＳＤＮおよびＩＭＳＩ番号を共有することができる。前記実施態様では、ＩＲに関して要求するユーザに、識別された副サービス・プロバイダのプールから、副ＳＭＩＳＤＮおよび副ＩＭＳＩ番号を割り振ることができる。
【０１２４】
ブロック４０８では、副ＭＳＩＳＮＤＮをユーザに供給することができる。さらに少なくとも副サービス・プロバイダとＩＭＳＩマッピング・ノードとの間のマッピングｘと一緒に主ＭＳＩＳＤＮＴＯ副ＭＳＩＳＤとの間で副ＭＳＩＳＤＮマッピングをユーザに提供することとを含み、一実施態様では、割振りが行われたユーザの主ＩＭＳＩ番号が、副サービス・プロバイダのＭＳＣ／ＶＬＲにも供給される可能性がある。共有されるプールからの副ＭＳＩＳＤＮおよび副ＭＩＳＩ番号が、両方の範囲内である副サービス・プロバイダに関するＭＳＩＳＤＮおよびＩＭＳＩ番号が存在する副サービス・プロバイダに関連する可能性があることを理解されたい。
【０１２５】
図４（ｂ）を参照すると、方法４４０を、Ｓ−ＭＳＣ／ＶＬＲ  １０６−２などの副サービス・プロバイダのエンティティによって実施することができる。一実施態様では、ブロック４４２で、位置更新メッセージをユーザから受信することができる。ユーザは、ローミング国内にあり、副ＭＳＩＳＤＮおよび副ＩＭＳＩ番号と一緒にＩＲを利用しているものとすることができる。当業者は、ユーザによって送信された位置更新メッセージが、ユーザによって利用されるＳＩＭカードに関連する主ＩＭＳＩ番号に基づくものとすることができることを理解するはずである。
【０１２６】
ブロック４４４では、ユーザが、位置更新メッセージ内で受信されたＩＭＳＩ番号に基づいて、ＩＲを利用しているものとして識別される。一実施態様では、副サービス・プロバイダのＳ−ＭＳＣ／ＶＬＲ  １０６−２は、位置更新メッセージを受信することができ、ＩＭＳＩ番号に基づいてＩＲを利用するユーザを識別することができる。
【０１２７】
ブロック４４６では、受信された位置更新メッセージを、ＩＭＮに送信することができる。一実施態様では、位置更新メッセージは、そのＩＭＳＩ番号がＳ−ＭＳＣ／ＶＬＲ  １０６−２を用いて使用可能であるユーザについてＩＭＮに送信される。上で説明したように、Ｓ−ＭＳＣ／ＶＬＲ  １０６−２は、ユーザが現在ラッチされている副サービス・プロバイダと合意した異なるサービス・プロバイダから、そのようなＩＭＳＩ番号のリストを受信することができる。
【０１２８】
図４（ｃ）を参照すると、方法４８０を、ＩＭＮ  １１２によって実施することができる。一実施態様では、ブロック４８２で、ＩＲを利用するユーザに関連する位置更新メッセージを受信することができる。位置更新メッセージは、ユーザによって利用されるＳＩＭに関連するユーザの主ＩＭＳＩ番号を含むことができる。
【０１２９】
ブロック４８４では、最初に受信された位置更新メッセージに基づくダミー位置更新メッセージを生成することができる。一実施態様では、ＩＭＮ  １１２は、ダミー位置更新メッセージを生成することができ、ここでダミー位置更新メッセージは、ＩＭＮ  １１２自体のアドレスとしてのＭＳＣ／ＶＬＲアドレスと一緒に副ＩＭＳＩ番号を含むことができる。前に説明したように、ユーザの主ＩＭＳＩ番号に関連する副ＩＭＳＩ番号は、ユーザのデフォルト・サービス・プロバイダからＩＭＮによって受信される。
【０１３０】
ブロック４８６では、最初に受信された位置更新メッセージを、ユーザに関連するデフォルトＨＬＲに送信することができる。一実施態様では、ＩＭＮ  １１２は、ユーザの主ＩＭＳＩ番号および主ＭＳＩＳＤＮに基づいてユーザに関連するデフォルトＨＬＲを識別することができる。さらに、ダミー位置更新メッセージを、副ＩＭＳＩ番号および副ＭＳＩＳＤＮに関連する副ＨＬＲに送信することができる。
【０１３１】
通信ネットワーク内でローミングしている間にユーザにモバイル接続性を提供する方法およびシステムの実施形態を、構造的特徴および／または方法に固有の言葉で説明したが、本発明が、必ずしも説明された特定の特徴または方法に限定されないことを理解されたい。そうではなく、特定の特徴および方法は、通信ネットワーク内でローミングしている間にユーザに接続性を提供兎する例示的な実施形態として開示されたものである。
【図１】
0006001687.tif 000002
【図２】
0006001687.tif 000003
【図３（ａ）】
0006001687.tif 000004
【図３（ｂ）】
0006001687.tif 000005
【図３（ｃ）】
0006001687.tif 000006
【図４（ａ）】
0006001687.tif 000007
【図４（ｂ）】
0006001687.tif 000008
【図４（ｃ）】
0006001687.tif 000009